(57)【要約】移動中のデータを格納する再循環ループを含むデータ格納システムが開示される。データは、１つ又は複数の衛星又は他の輸送船を含むループを介して、信号によって伝達することができ、１つ又は複数の衛星又は他の輸送船は、例えば、反射又は再生によって、ループを通じて信号を返送する。また、ループは、例えば、光ファイバ又は光空洞などの導波路も含み得る。信号多重化は、内包データを増加するために使用することができる。信号は、各往復において増幅することができ、時折、信号の一部分を再生することができる。
2019513331.tif 000002
【特許請求の範囲】
【請求項１】
データ格納システムであって、
前記データ格納システムのディジタルデータを管理するように構成されたデータ管理システムと、
前記ディジタルデータを伝達する高周波信号を通信衛星に伝送するように構成された地球上の送信機と、
第１のレーザ衛星に前記データを伝送するように構成された前記通信衛星と、
前記ディジタルデータを伝達するレーザ信号を生成するように構成されたレーザ信号生成器であって、第２のレーザ衛星に前記ディジタルデータを伝送するように構成されたレーザ信号生成器を備える前記第１のレーザ衛星と、
前記第１の衛星から伝送された前記ディジタルデータを前記第１のレーザ衛星に返送するように構成された前記第２のレーザ衛星と
を備え、
前記第１のレーザ衛星が、前記第２のレーザ衛星から伝送された前記ディジタルデータを前記第２のレーザ衛星に返送するように構成され、その結果、移動中の格納の再循環ループで前記ディジタルデータが伝送され、
前記第１のレーザ衛星及び前記第２のレーザ衛星の少なくとも１つが、前記データ管理システムによって識別された前記ディジタルデータのデータブロックを回収するように構成される、データ格納システム。
【請求項２】
前記データ管理システムは、受信された前記データブロックに対する要求に応答するものとして前記データブロックを識別し、
前記データブロックは、前記ディジタルデータ全体に満たない、請求項１に記載のシステム。
【請求項３】
データ格納システムであって、
移動中のデータを格納するように構成された再循環ループであって、第１の輸送船と、該第１の輸送船から遠く離れた所に位置付けられる第２の輸送船と、を含む再循環ループを備え、
前記第１の輸送船は、前記第２の輸送船にデータを伝送するように構成された信号生成器及び信号送信機から成る群から選択される少なくとも１つを備え、
前記第２の輸送船は、前記第１の輸送船から伝送されたデータを前記第１の輸送船に返送するように構成され、
前記第１の輸送船は、前記第２の輸送船から伝送されたデータを前記第２の輸送船に返送するように構成される、データ格納システム。
【請求項４】
請求項３に記載のシステムであって、
データ管理システムが、前記データ格納システムのデータを管理するように構成され、
前記第１の輸送船及び前記第２の輸送船の少なくとも１つは、前記データ格納システムの外部から受信されたデータブロックに対するデータ回収要求に応答するものとして、前記データ管理システムによって識別されたデータのデータブロックを回収するように構成され、
前記データブロックは、前記データ全体より小さい、システム。
【請求項５】
前記再循環ループを通じた前記信号の各往復について、前記信号は移動した状態で維持される、請求項３に記載のシステム。
【請求項６】
前記第１の輸送船及び前記第２の輸送船の少なくとも１つは、衛星である、請求項３に記載のシステム。
【請求項７】
前記信号生成器及び前記信号送信機から成る群から選択される前記少なくとも１つは、伝播方向マルチプレクサによって多重化された信号として前記データを伝達する信号を前記第２の輸送船に伝送するように構成され、
前記伝送するステップは、
前記再循環ループを通じて前記信号の第１の部分を第１のビームとして伝送するステップと、
伝播経路が前記第１のビームから物理的に分離された状態で、前記再循環ループを通じて、前記信号の第２の部分を第２のビームとして伝送するステップと
を含む、請求項３に記載のシステム。
【請求項８】
前記第１の輸送船及び前記第２の輸送船の少なくとも１つは、船、航空機、潜水艦及びオイルリグ、ブイ又は他の静止海洋構造物から成る群から選択されたものを含む、請求項３に記載のシステム。
【請求項９】
前記再循環ループは、前記第１の輸送船にデータを伝送するように構成された第３の輸送船を含み、
前記第２の輸送船は、前記第３の輸送船にデータを伝送することによって前記第３の輸送船を介して前記第１の輸送船にデータを返送するように構成される、請求項３に記載のシステム。
【請求項１０】
前記再循環ループは、輸送船間で前記データを再循環させ、連続して次々と繰り返し起きるように構成される、請求項３に記載のシステム。
【請求項１１】
前記第１の輸送船及び前記第２の輸送船の少なくとも１つは、前記第２の輸送船又は前記第１の輸送船のそれぞれに信号を返送するように位置付けられ且つ構成された反射表面を備える、請求項３に記載のシステム。
【請求項１２】
前記信号生成器及び前記信号送信機の少なくとも１つは、前記データを伝達すると共に前記第２の輸送船に伝送されるレーザ信号を生成する、請求項３に記載のシステム。
【請求項１３】
前記信号生成器及び前記信号送信機の少なくとも１つは、前記データを伝達すると共に前記第２の輸送船に伝送される光ビーム信号を生成する、請求項３に記載のシステム。
【請求項１４】
前記信号生成器及び前記信号送信機の少なくとも１つは、前記データを伝達すると共に多重化信号の第１のセットを含む多重化電磁信号を生成するように構成され、
前記多重化電磁信号の第１のセットの各信号は、前記多重化信号の第１のセットとは異なる多重化スキームを使用して生成される多重化電磁信号の第２のセットを含む、請求項３に記載のシステム。
【請求項１５】
データ完全性を保証するためにチェックするように構成された誤りチェッカをさらに備える、請求項３に記載のシステム。
【請求項１６】
請求項３に記載のシステムであって、
第１の時刻に、第１の動作を実行するために、前記データ格納システムの外部から第１の要求を受信するステップであって、該第１の動作は、前記データの第１のデータブロックに対する読取動作、書込動作及び削除動作のうちの１つを含む、ステップと、
前記第１の時刻の後の第２の時刻に、第２の動作を実行するために、前記データ格納システムの外部から第２の要求を受信するステップであって、該第２の動作は、前記データの第２のデータブロックに対する読取動作、書込動作及び削除動作のうちの１つを含む、ステップと
を行うように構成されたコントローラをさらに備え、
前記第２の動を実行した後に、前記第１の動作を実行する、システム。
【請求項１７】
前記信号生成器及び前記信号送信機の少なくとも１つは、前記データを伝達する符号分割多重化信号を生成するように構成され、
前記符号分割多重化信号は、多重化信号の第１のセットを含み、その結果、該第１のセットの第１の多重化信号は、該第１のセットの第２の多重化信号以外のデータを伝達する、請求項３に記載のシステム。
【請求項１８】
前記信号生成器及び前記信号送信機の前記少なくとも１つは、前記データを伝達する軌道角運動量分割多重化信号を生成するように構成され、
前記軌道角運動量分割多重化信号は、多重化信号の第１のセットを含み、その結果、前記第１のセットの第１の多重化信号は、前記第１のセットの第２の多重化信号以外のデータを伝達する、請求項３に記載のシステム。
【請求項１９】
前記信号生成器及び前記信号送信機の少なくとも１つは、前記データを伝達する空間分割多重化信号を生成するように構成され、
前記空間分割多重化信号は、多重化信号の第１のセットを含み、その結果、該第１のセットの第１の多重化信号は、該第１のセットの第２の多重化信号以外のデータを伝達する、請求項３に記載のシステム。
【請求項２０】
前記信号生成器及び前記信号送信機の少なくとも１つは、前記データを伝達する偏波分割多重化信号を生成するように構成され、
前記偏波分割多重化信号は、多重化信号の第１のセットを含み、その結果、該第１のセットの第１の多重化信号は、該第１のセットの第２の多重化信号以外のデータを伝達する、請求項３に記載のシステム。
【請求項２１】
前記信号生成器及び前記信号送信機の少なくとも１つは、前記データを伝達する波長分割多重化信号を生成するように構成され、
前記波長分割多重化信号は、多重化信号の第１のセットを含み、その結果、該第１のセットの第１の多重化信号は、該第１のセットの第２の多重化信号以外のデータを伝達する、請求項３に記載のシステム。
【請求項２２】
信号の部分によって伝達されたデータブロックを前記信号の部分の物理的プロパティ及び場所の少なくとも１つと関連付けるように構成されたデータ管理システムと、
前記データブロックの動作を制御する制御信号を生成するように構成されたコントローラであって、前記制御信号は、前記信号の部分の前記物理的プロパティ及び前記場所の少なくとも１つを参照してクロック信号に基づいて生成される、コントローラと
をさらに備える、請求項１に記載のシステム。
【請求項２３】
請求項３に記載のシステムであって、
前記データ格納システムのデータを管理するように構成されたデータ管理システムであって、前記データのデータブロックの削除、書込及び更新の少なくとも１つを行うために、前記データ格納システムの外部から要求を受信するように構成されたデータ管理システムをさらに備え、
前記再循環ループは、前記データ管理システムから受信された情報に基づいて、前記データを伝達する前記信号の第１の部分を消去するように構成されたイレイサを含み、前記第１の部分は、前記データブロックを伝達し、該データブロックは、前記データ全体よりも小さい、システム。
【請求項２４】
データ格納システムであって、
移動中のディジタルデータを伝達するレーザ信号を維持するように構成された再循環ループであって、光導波路、光導波路カプラ及び再生器を含む再循環ループと、
前記ディジタルデータを伝達するレーザ信号を生成し、入力／出力光導波路に前記レーザ信号を伝送するように構成された信号生成器と
を含み、
前記光導波路カプラは、前記入力／出力光導波路と前記光導波路との間で前記レーザ信号を結合し、
前記再生器は、前記光導波路に結合され、前記光導波路を通じて前記レーザ信号の増幅及び再生の少なくとも１つを行うように構成される、データ格納システム。
【請求項２５】
請求項２４に記載のシステムであって、
データ管理システムが、前記データ格納システムのディジタルデータを管理するように構成され、
前記再循環ループは、前記データ管理システムによって提供された情報に基づくタイミングに従って、前記ディジタルデータのデータブロックを伝達する前記レーザ信号の部分を消去するように構成されたイレイサであって、前記レーザ信号の前記部分は、前記レーザ信号全体に満たない、イレイサを含む、システム。
【請求項２６】
前記信号生成器は、多重化信号を前記レーザ信号として生成するように構成され、
前記多重化信号は、多重化レーザ信号の第１のセットを含み、その結果、前記第１のセットの第１の多重化レーザ信号は、前記第１のセットの第２の多重化レーザ信号以外のデータを伝達し、
前記多重化信号の第１のセットの各レーザ信号は、前記多重化信号の第１のセットを生成するために使用された多重化スキームとは異なる多重化スキームを使用して生成された多重化レーザ信号の第２のセットを含む、請求項２４に記載のシステム。
【請求項２７】
前記多重化レーザ信号の第２のセットの各レーザ信号は、多重化レーザ信号の第３のセットを含み、
前記多重化レーザ信号の第３のセットは、前記多重化信号の第１のセットを生成するために使用された前記多重化スキームとは異なる多重化スキームであって、前記多重化信号の第２のセットを生成するために使用された前記多重化スキームとは異なる多重化スキームを使用して生成される、請求項２６に記載のシステム。
【請求項２８】
移動中のデータを伝達する信号を維持するように構成された再循環ループであって、導波路及び導波路カプラを含む再循環ループであって、
前記導波路カプラは、前記データを伝達する信号を結合して前記導波路に入れるように構成される、再循環ループと、
前記信号の増幅及び再生の少なくとも１つによって前記導波路を通じて運ばれた前記信号を調節するように構成された信号調節器と
を備える、データ格納システム。
【請求項２９】
前記導波路は、光ファイバを含む、請求項２８に記載のシステム。
【請求項３０】
前記導波路カプラに前記信号を伝送するように構成された信号生成器をさらに備え、
前記信号生成器によって生成された前記信号は、電磁信号である、請求項２８に記載のシステム。
【請求項３１】
前記導波路カプラにレーザ信号を前記信号として伝送するように構成されたレーザ信号生成器をさらに備える、請求項２８に記載のシステム。
【請求項３２】
前記再循環ループは、前記信号調節器を含み、
前記信号調節器は、前記信号が前記信号調節器を通過するたびに前記信号の少なくとも一部分を増幅するように構成された信号増幅器を含む、請求項２８に記載のシステム。
【請求項３３】
請求項２８に記載のシステムであって、
前記データ格納システムのデータを管理するように構成されたデータ管理システムであって、前記データのデータブロックの削除、書込及び更新の少なくとも１つを行うために、前記データ格納システムの外部から要求を受信するように構成されたデータ管理システム
をさらに備え、
前記再循環ループは、前記データ管理システムから受信された情報に基づいて、前記信号の第１の部分を消去するように構成されたイレイサを含み、前記第１の部分は、前記データブロックを伝達し、前記データブロックは、前記データ全体に満たない、システム。
【請求項３４】
前記データ管理システムは、前記要求に従ってタイミング情報を生成するように構成され、
前記データ管理システムから前記イレイサによって受信された前記情報は、前記タイミング情報である、請求項３３に記載のシステム。
【請求項３５】
前記導波路カプラに前記信号を伝送するように構成された信号生成器をさらに備え、
前記信号生成器によって生成された前記データを伝達する前記信号は、伝播方向マルチプレクサによって多重化された信号であり、
前記伝播方向マルチプレクサは、前記再循環ループを通じて第１の方向に前記信号の第１の部分を伝送し、前記再循環ループを通じて前記第１の方向とは異なる第２の方向に前記信号の第２の部分を伝送するように構成される、請求項２８に記載のシステム。
【請求項３６】
信号再生器を備え、
前記信号調節器は、前記信号の少なくともいくつかを増幅するように構成された信号増幅器であり、
前記信号再生器は、第１のタイミングに、前記信号全体に満たない前記信号の第１の部分のみを再生し、
前記第１のタイミングの後の第２のタイミングに、前記信号全体に満たない前記信号の第２の部分のみを再生するように構成される、請求項２８に記載のシステム。
【請求項３７】
非同期的に前記信号を再生し、その結果、前記第１のタイミングの前に、前記第２の部分は、前記第１の部分より前に再生されている、請求項３６に記載のシステム。
【請求項３８】
第３のタイミングに、前記信号の前記第１の部分のみを再生し、
第４のタイミングに、前記信号の前記第２の部分のみを再生し、
前記第１のタイミングと前記第３のタイミングとの間の間隔は、前記第２のタイミングと前記第４のタイミングとの間の間隔とは異なる、請求項３６に記載のシステム。
【請求項３９】
請求項２８に記載のシステムであって、
第１の時刻に、第１の動作を実行するために前記データ格納システムの外部から第１の要求を受信するステップであって、前記第１の動作は、前記データの第１のデータブロックに対する読取動作、書込動作及び削除動作のうちの１つを含む、ステップと、
前記第１の時刻の後の第２の時刻に、第２の動作を実行するために前記データ格納システムの外部から第２の要求を受信するステップであって、前記第２の動作は、前記データの第２のデータブロックに対する前記読取動作、前記書込動作及び前記削除動作のうちの１つを含む、ステップと
を行うように構成されたコントローラをさらに備え、
前記第２の動作を実行した後に前記第１の動作を実行する、システム。
【請求項４０】
前記第１の動作が前記読取動作である場合、前記第２の動作は前記読取動作であり、
前記第１の動作が前記書込動作である場合、前記第２の動作は前記書込動作であり、
前記第１の動作が前記削除動作である場合、前記第２の動作は前記削除動作である、請求項３９に記載のシステム。
【請求項４１】
データ完全性決定器を備え、
前記データ完全性決定器は、前記信号再生器が前記第１の部分を再生した場合に前記第１の部分のみのデータ完全性を決定し、前記信号再生器が前記第２の部分を再生した場合に前記第２の部分のみのデータ完全性を決定するように構成される、請求項２８に記載のシステム。
【請求項４２】
データ完全性を保証するように構成された誤りチェッカをさらに備える、請求項２８に記載のシステム。
【請求項４３】
前記再循環ループは、前記信号の信号強度に応じて、非線形方式で、前記信号に対して信号損失を与えるように構成された信号フィルタをさらに含む、請求項２８に記載のシステム。
【請求項４４】
前記再循環ループは、第１の値未満の強度を有する雑音をフィルタ除去するように構成された信号フィルタをさらに含む、請求項２８に記載のシステム。
【請求項４５】
前記再循環ループは、前記信号の第１の部分に信号損失を提供するように構成された信号フィルタをさらに含み、
前記信号の前記第１の部分は、前記信号の第２の部分より大きい信号強度を有する、請求項２８に記載のシステム。
【請求項４６】
前記再循環ループは、前記信号の第１の部分及び前記信号の第２の部分に信号損失を提供するように構成された信号フィルタをさらに含み、
前記第１の部分は、前記第２の部分より大きい信号強度を有し、
前記第１の部分に提供される前記信号損失は、往復利得より大きいものであり、
前記第２の部分に提供される前記信号損失は、前記往復利得より小さいものであり得る、請求項２８に記載のシステム。
【請求項４７】
前記再循環ループは、第１の屈折率を有する材料を含む信号フィルタをさらに含み、
前記信号フィルタは、第１の値未満の信号強度を有する前記信号の第１の部分に信号損失を提供し、前記材料の前記屈折率を変更して、前記第１の値より高い第２の強度を有する前記信号の第２の部分に信号損失を提供するように構成される、請求項２８に記載のシステム。
【請求項４８】
前記導波路カプラは、第１のカプラ及び第２のカプラを含み、
前記第１のカプラは、前記信号の第１の部分のみを結合するように構成され、
前記第２のカプラは、前記第１の部分以外の前記信号の第２の部分のみを結合するように構成され、
前記第１及び第２の部分は、第１の多重化スキームの一部として前記信号で多重化される、請求項２８に記載のシステム。
【請求項４９】
前記第１のカプラは、第３のカプラ及び第４のカプラを含み、
前記第３のカプラは、前記第２の部分以外の前記信号の第３の部分のみを結合するように構成され、
前記第４のカプラは、前記第２の部分以外及び前記第３の部分以外の前記信号の第４の部分のみを結合するように構成され、
前記第１の部分は、前記第３及び第４の部分を含み、
前記第３及び第４の部分は、前記第１の多重化スキームとは異なる第２の多重化スキームの一部として前記信号で多重化される、請求項４７に記載のシステム。
【請求項５０】
前記導波路カプラは、前記導波路に前記信号を伝送するように構成された信号入力カプラと、前記導波路から信号を取り除くように構成された信号出力カプラとを含み、
前記信号入力カプラは、前記再循環ループにおいて、前記信号出力カプラから遠く離れた所に位置付けられる、請求項２８に記載のシステム。
【請求項５１】
前記導波路カプラに前記信号を伝送するように構成された信号生成器をさらに備え、
前記信号生成器は、多重化電磁信号を前記信号として生成するように構成され、
前記多重化電磁信号は、多重化電磁信号の第１のセットを含み、その結果、前記第１のセットの第１の多重化信号が、前記第１のセットの第２の多重化信号以外のデータを伝達し、
前記多重化電磁信号の第１のセットの各信号は、前記多重化電磁信号の第１のセットを生成するために使用された前記多重化スキームとは異なる多重化スキームを使用して生成された多重化電磁信号の第２のセットを含む、請求項２８に記載のシステム。
【請求項５２】
前記多重化電磁信号の第２のセットの各レーザ信号は、多重化電磁信号の第３のセットを含み、
前記多重化電磁信号の第３のセットは、前記多重化電磁信号の第１のセットを生成するために使用された前記多重化スキームとは異なる多重化スキームであって、前記多重化電磁信号の第２のセットを生成するために使用された前記多重化スキームとは異なる多重化スキームを使用して生成される、請求項５１に記載のシステム。
【請求項５３】
前記導波路カプラに前記信号を伝送するように構成された信号生成器をさらに備え、
前記信号生成器は、符号分割多重化信号を前記信号として生成するように構成され、
前記符号分割多重化信号は、多重化信号の第１のセットを含み、その結果、前記第１のセットの第１の多重化信号が、前記第１のセットの第２の多重化信号以外のデータを伝達する、請求項２８に記載のシステム。
【請求項５４】
前記導波路カプラに前記信号を伝送するように構成された信号生成器をさらに備え、
前記信号生成器は、軌道角運動量分割多重化信号を前記信号として生成するように構成され、
前記軌道角運動量分割多重化信号は、多重化信号の第１のセットを含み、その結果、前記第１のセットの第１の多重化信号が、前記第１のセットの第２の多重化信号以外のデータを伝達する、請求項２８に記載のシステム。
【請求項５５】
前記導波路カプラに前記信号を伝送するように構成された信号生成器をさらに備え、
前記信号生成器は、空間分割多重化信号を前記信号として生成するように構成され、
前記空間分割多重化信号は、多重化信号の第１のセットを含み、その結果、前記第１のセットの第１の多重化信号が、前記第１のセットの第２の多重化信号以外のデータを伝達する、請求項２８に記載のシステム。
【請求項５６】
前記導波路カプラに前記信号を伝送するように構成された信号生成器をさらに備え、
前記信号生成器は、偏波分割多重化信号を前記信号として生成するように構成され、
前記偏波分割多重化信号は、多重化信号の第１のセットを含み、その結果、前記第１のセットの第１の多重化信号が、前記第１のセットの第２の多重化信号以外のデータを伝達する、請求項２８に記載のシステム。
【請求項５７】
前記導波路カプラに前記信号を伝送するように構成された信号生成器をさらに備え、
前記信号生成器は、波長分割多重化信号を前記信号として生成するように構成され、
前記波長分割多重化信号は、多重化信号の第１のセットを含み、その結果、前記第１のセットの第１の多重化信号が、前記第１のセットの第２の多重化信号以外のデータを伝達する、請求項２８に記載のシステム。
【請求項５８】
前記信号の部分によって伝達されたデータブロックを前記信号の前記部分の物理的プロパティ及び場所の少なくとも１つと関連付けるように構成されたデータ管理システムと、
前記データブロックの動作を制御する制御信号を生成するように構成されたコントローラであって、前記制御信号は、前記信号の前記部分の前記物理的プロパティ及び前記場所の前記少なくとも１つを参照してクロック信号に基づいて生成される、コントローラと
をさらに備える、請求項２８に記載のシステム。
【請求項５９】
請求項２８に記載のシステムであって、
前記データ格納システムのデータを管理するように構成されたデータ管理システムであって、前記データのデータブロックの削除、書込及び更新の少なくとも１つを行うために、前記データ格納システムの外部から要求を受信するように構成されたデータ管理システム
をさらに備え、
前記再循環ループは、前記データ管理システムから受信された情報に基づいて、前記信号の第１の部分を消去するように構成されたイレイサを含み、
前記第１の部分は、前記データブロックを伝達し、
前記データブロックは、前記データ全体に満たない、システム。
【請求項６０】
前記信号調節器は、前記信号の第１の部分に第１の信号利得を提供するように構成され、
前記第１の信号利得は、前記再循環ループを通じて以前の前記信号の往復に対して得られた信号強度に関する情報に従って提供される、請求項２８に記載のシステム。
【請求項６１】
前記信号調節器は、前記信号の第１の部分に信号増幅を提供することによって前記信号のフィルタリングを提供するように構成され、
前記信号増幅は、前記第１の部分が位相整合条件を満たす場合に前記第１の部分に提供される、請求項２８に記載のシステム。
【請求項６２】
前記信号調節器は、ポンプビーム及びアイドラビームを提供するように構成され、
前記ポンプビーム及び前記アイドラビームは、前記フィルタリングを提供するように構成される、請求項６１に記載のシステム。
【請求項６３】
移動中のデータを格納するシステムであって、
移動中のデータを伝達する光信号を維持するように構成された光空洞を含む再循環ループであって、前記再循環ループは、信号カプラ、第１の信号リターナ及び信号調節器を含み、前記信号調節器は、前記信号を増幅することによって前記信号を調節するように構成され、
前記信号カプラは、前記信号を前記第１の信号リターナに伝送することによって前記信号の少なくとも一部分を結合して前記光空洞に入れるように構成され、
前記第１の信号リターナは、前記信号カプラに前記信号を返送するように位置付けられ及び構成され、
前記信号カプラは、前記第１の信号リターナから受信された前記信号を前記第１の信号リターナに返送するように構成される、再循環ループと、
第１のタイミングに、前記信号全体に満たない前記信号の第１の部分のみを再生し、前記第１のタイミングの後の第２のタイミングに、前記信号全体に満たない前記信号の第２の部分のみを再生するように構成された信号再生器と
を備える、システム。
【請求項６４】
非同期的に前記信号を再生し、その結果、前記第１のタイミングの前に、前記第２の部分が、前記第１の部分より前に再生されている、請求項６３に記載のシステム。
【請求項６５】
前記信号カプラは、前記光空洞に前記信号を伝送するように構成された信号入力カプラと、前記光空洞から信号を取り除くように構成された信号出力カプラとを含み、
前記信号入力カプラは、前記光空洞において、前記信号出力カプラから遠く離れた所に位置付けられる、請求項６３に記載のシステム。
【請求項６６】
前記ループは、第２の信号リターナを含み、
前記第１の信号リターナは、前記第２の信号リターナに前記信号を伝送することによって前記信号カプラに前記信号を返送するように構成される、請求項６３に記載のシステム。
【請求項６７】
前記第１の信号リターナは、前記信号を反射表面に反射させることによって前記信号を返送する、請求項６３に記載のシステム。
【請求項６８】
光信号をフィルタリングする方法であって、
信号利得を提供することによって前記光信号を増幅するステップと、
前記光信号の信号強度に応じて、非線形方式で、前記光信号に対して信号損失を与えるステップと
を含み、
前記信号損失を与える前記ステップは、
前記光信号の第１の部分に信号損失を提供するステップであって、前記光信号の前記第１の部分は、前記光信号の第２の部分より大きい信号強度を有し、前記第１の部分に提供される前記信号損失は、前記信号利得より大きい、ステップと、
前記信号利得より小さい信号損失を前記第２の部分に提供するステップと
を含む、方法。
【請求項６９】
前記提供される信号損失は、前記信号の前記第１の部分の時間的に変動する強度の数学関数である、請求項６８に記載の方法。
【請求項７０】
請求項６８に記載の方法であって、
前記信号フィルタは、第１の屈折率を有する材料を含み、
前記信号フィルタは、第１の値未満の信号強度を有する前記信号の第３の部分に前記信号損失を提供するように構成され、
前記方法は、前記材料の前記屈折率を変更して、前記第１の値より高い第２の強度を有する前記信号の前記第１の部分に前記信号損失を提供するステップを含む、方法。
【請求項７１】
移動中のデータを伝達する信号を維持するように構成された再循環ループであって、信号イントロデューサ及び信号リターナを含む再循環ループを使用したデータ格納方法であって、
前記信号イントロデューサによって、前記データを伝達する前記信号を前記再循環ループに導入するステップと、
前記信号リターナによって、前記信号イントロデューサに前記信号を返送するステップと、
前記信号イントロデューサによって、前記信号リターナから受信された前記信号を前記信号リターナに返送するステップと
を含む、データ格納方法。
【請求項７２】
前記信号リターナは、導波路であり、
前記信号イントロデューサは、信号生成器と前記導波路との間で前記信号を結合するように構成された導波路カプラである、請求項７１に記載のデータ格納方法。
【請求項７３】
前記信号リターナは、反射表面を含む、請求項７１に記載のデータ格納方法。
【請求項７４】
前記信号イントロデューサは、輸送船上に位置付けられる、請求項７３に記載のデータ格納方法。
【請求項７５】
前記再循環ループを通じて第１の方向に前記信号の第１の部分を再循環するステップと、
前記再循環ループを通じて前記第１の方向とは異なる第２の方向に前記信号の第２の部分を再循環するステップであって、前記第２の部分は、前記第１の部分以外のものである、ステップと
をさらに含む、請求項７１に記載のデータ格納方法。
【請求項７６】
信号生成器が、多重化電磁信号を前記信号として生成するように構成され、
前記多重化電磁信号は、多重化電磁信号の第１のセットを含み、その結果、前記第１のセットの第１の多重化信号は、前記第１のセットの第２の多重化信号以外のデータを伝達し、
前記多重化電磁信号の第１のセットの各信号は、前記多重化電磁信号の第１のセットを生成するために使用された多重化スキームとは異なる多重化スキームを使用して生成された多重化電磁信号の第２のセットを含む、請求項７１に記載の方法。
【請求項７７】
前記多重化電磁信号の第２のセットの各信号は、多重化電磁信号の第３のセットを含み、
前記多重化電磁信号の第３のセットは、前記多重化電磁信号の第１のセットを生成するために使用された前記多重化スキームとは異なる多重化スキームであって、前記多重化電磁信号の第２のセットを生成するために使用された前記多重化スキームとは異なる多重化スキームを使用して生成される、請求項７１に記載の方法。
【請求項７８】
信号生成器が、符号分割多重化信号を前記信号として生成するように構成され、
前記符号分割多重化信号は、多重化信号の第１のセットを含み、その結果、前記第１のセットの第１の多重化信号が、前記第１のセットの第２の多重化信号以外のデータを伝達する、請求項７１に記載の方法。
【請求項７９】
信号生成器が、軌道角運動量分割多重化信号を前記信号として生成するように構成され、
前記軌道角運動量分割多重化信号は、多重化信号の第１のセットを含み、その結果、前記第１のセットの第１の多重化信号が、前記第１のセットの第２の多重化信号以外のデータを伝達する、請求項７１に記載の方法。
【請求項８０】
信号生成器が、空間分割多重化信号を前記信号として生成するように構成され、
前記空間分割多重化信号は、多重化信号の第１のセットを含み、その結果、前記第１のセットの第１の多重化信号が、前記第１のセットの第２の多重化信号以外のデータを伝達する、請求項７１に記載の方法。
【請求項８１】
信号生成器が、偏波分割多重化信号を前記信号として生成するように構成され、
前記偏波分割多重化信号は、多重化信号の第１のセットを含み、その結果、前記第１のセットの第１の多重化信号が、前記第１のセットの第２の多重化信号以外のデータを伝達する、請求項７１に記載の方法。
【請求項８２】
信号生成器が、波長分割多重化信号を前記信号として生成するように構成され、前記波長分割多重化信号は、多重化信号の第１のセットを含み、その結果、前記第１のセットの第１の多重化信号が、前記第１のセットの第２の多重化信号以外のデータを伝達する、請求項７１に記載の方法。
【請求項８３】
請求項７１に記載の方法であって、データ管理システムが、前記信号の部分によって伝達されたデータブロックを前記信号の前記部分の物理的プロパティ及び場所の少なくとも１つと関連付けるように構成され、
前記方法は、
前記データブロックの動作を制御する制御信号を生成するステップであって、前記制御信号は、前記信号の前記部分の前記物理的プロパティ及び前記場所の前記少なくとも１つを参照してクロック信号に基づいて生成される、ステップ
をさらに含む、方法。
【請求項８４】
請求項７１に記載の方法であって、データ管理システムが、データ格納システムのデータを管理するように構成され、
前記方法は、
前記データのデータブロックの削除、書込及び更新の少なくとも１つを行うために、前記データ格納システムの外部から要求を受信するステップと、
前記再循環ループに含まれるイレイサによって、前記データ管理システムから受信された情報に基づいて、前記信号の第１の部分を消去するステップであって、前記第１の部分は、前記データブロックを伝達し、前記データブロックは、前記データ全体に満たない、ステップと
をさらに含む、方法。
【請求項８５】
前記再循環ループに位置付けられた信号調節器によって、前記信号の第１の部分に第１の信号利得を提供するステップをさらに含み、
前記第１の信号利得は、前記再循環ループを通じて以前の前記信号の往復に対して得られた信号強度に関する情報に従って提供される、請求項７１に記載の方法。
【請求項８６】
第１の部分が位相整合条件を満たす場合に、信号調節器によって、前記信号の前記第１の部分に信号増幅を提供することによって前記信号のフィルタリングを提供するステップ
をさらに含む、請求項７１に記載の方法。
【請求項８７】
前記信号イントロデューサは、レーザ信号を前記信号として生成するように構成されたレーザ送信機に接続された信号カプラである、請求項７１に記載の方法。
【請求項８８】
請求項７１に記載の方法であって、
前記方法は、
信号再生器によって、第１のタイミングに、前記信号全体に満たない前記信号の第１の部分のみを再生するステップと、
前記信号再生器によって、前記第１のタイミングの後の第２のタイミングに、前記信号全体に満たない前記信号の第２の部分のみを再生するステップと
をさらに含み、
前記システムは、非同期的に前記信号を再生し、その結果、前記第１のタイミングの前に、前記第２の部分が、前記第１の部分より前に再生されている、方法。
【請求項８９】
第１の輸送船に位置付けられた信号生成器及び信号送信機から成る群から選択される少なくとも１つによって、信号によって伝達されるデータを第２の輸送船に伝送するステップであって、該第２の輸送船は、前記第１の輸送船から遠く離れた所に位置付けられ、移動中の前記データを格納するように構成された再循環ループが、前記第１の輸送船及び前記第２の輸送船を含む、ステップと、
前記第２の輸送船によって、前記第１の輸送船から伝送されたデータを前記第１の輸送船に返送するステップと、
前記第１の輸送船によって、前記第２の輸送船から伝送されたデータを前記第２の輸送船に返送するステップと
を含む、データ格納システム方法。
【発明の詳細な説明】
【技術分野】
【０００１】
関連出願の相互参照
この出願は、２０１６年３月２２日に出願された米国仮特許出願第６２／３１１，８１４号明細書及び２０１７年３月２１日に出願された米国実用特許出願第１５／４６５，３５６号明細書への優先権を主張し、それらの特許の各々の全内容は、参照により本明細書に組み込まれる。
【０００２】
本開示は、情報格納技術の分野に関し、具体的には、例えば、データを伝達する、並びに、構造間、構造内、空洞内及び／又は異なる伝送媒質（真空、結晶、非線形媒質、自由空間、光導波路若しくは光ファイバを含む）を用いて／使用して透過又は反射するレーザ又は他の光ビームのような、移動中の電磁放射線として情報を格納することができるシステムに関する。
【背景技術】
【０００３】
電磁通信システムでは、光ビームなどの信号の最大伝送距離は、自由空間において又は光ファイバ若しくは他の導波路において信号が経験する損失や、様々な分散及び非線形効果に起因するデータを伝達する信号の拡散や、送信源からの雑音（これらに限定されないが、システムの摂動、ランダム散乱事象及び光の自然放出を含む）の追加によって決定付けられる。その結果、信号を長距離伝送する場合、信号は、典型的には、様々な距離間隔で信号を再生しなければならない。完全なデータ信号再生は、典型的には、データタイミング再生（retiming）、波形整形（reshaping）及び振幅増幅（reamplification）（又は増幅）を含む「３Ｒ」プロセスと見なされる。
【０００４】
宇宙におけるレーザベースのデータ通信はよく知られている。例えば、欧州宇宙機関（Ｅｕｒｏｐｅａｎ  Ｓｐａｃｅ  Ａｇｅｎｃｙ）のＡｒｔｅｍｉｓ衛星は、ＣＮＥＳ地球観測衛星ＳＰＯＴ４との光データ伝送リンクを提供した。宇宙における光通信の通信範囲は数千キロメートルと信頼できるものである。また、この数値よりも桁違いに大きい距離にわたるレーザ又は光通信も達成可能である。また、ＮＡＳＡのＯｐｔｉｃａｌ  Ｐａｙｌｏａｄ  ｆｏｒ  Ｌａｓｅｒｃｏｍｍ  Ｓｃｉｅｎｃｅ（ＯＰＡＬＳ）プロジェクトは、地球局と国際宇宙ステーションとの間の光通信を使用した高速データ転送速度の実演に成功した。別の例では、２０１３年１月に、ＮＡＳＡが、およそ３９０，０００キロメートル離れた月周回衛星ルナーリコネサンスオービタ（Ｌｕｎａｒ  Ｒｅｃｏｎｎａｉｓｓａｎｃｅ  Ｏｒｂｉｔｅｒ）にモナリザの画像を表すレーザを伝送している。
【０００５】
従来のデータセンタは各種の短所を有し、それらの短所は、整備が高価であり得ることや、様々なタイプの媒質を必要とし得ることや、ハッキングされたり、許可なしに物理的に又は遠隔操作でアクセスされたりして、その結果、データのコピー、破壊、アクセスの許可のない別の方法での変更又は攻撃ができるようになることを含む。それに加えて、停電、自然災害及び災難（火災、洪水、地震、戦争など）も従来の地球上のデータセンタに影響を及ぼし得る。また、これらのデータセンタのうちの１つから消去されたデータは、正しい専門知識を有する人物によって回復することができる。また、これらのデータセンタは、賃借料、冷却費用、電気コスト及び物理的セキュリティなど、実質的な間接費が生じるという欠点を有する。従来より、データ格納ユニットは、複数のラックで構築することができ、各（データ）ラックは、複数のハードドライブ（様々な技術に基づき得る）及びコンピュータ（ルータ、スイッチ、ファイアウォール、他のデバイスなど）で構成される。この設定は、多くの制限及び課題を有し、これらに限定されないが、上記で記述されるような高い動作費用や、かなり大規模な物理的場所、高い電力消費量、大きな整備及び高い冷却ニーズに対する要件が含まれる。
【０００６】
レーザ文脈における電磁ビームの配向及び指向は、ジンバル又は光位相アレイ並びに細かい角度精度で指向するために使用される他の周知の手法を使用して行うことができる。信号送信機の各々は、反射表面などの対象との光通信のために選択的にステアリングすることができる。衛星群の中の近隣の衛星を追跡するため、調整可能な仰角設定と協調して、慣性基準系を使用することができる。ホスト衛星ジッタ及びわずかな軌道差を補償するため、ビームステアリングミラーを使用することができる。さらなる例は、本明細書に添付され、参照により本明細書に完全に組み込まれる、Ｄｒ．  Ｐａｕｌ  ＭｃＭａｎａｍｏｎが議長を務める全米科学アカデミー（Ｎａｔｉｏｎａｌ  Ａｃａｄｅｍｙ  ｏｆ  Ｓｃｉｅｎｃｅｓ）の研究における議論である（非特許文献１）で提供されている。参照により本明細書に完全に組み込まれるものとして、Ｋａｒｔａｌｏｐｏｕｌｏｓの（特許文献１）、Ｌｙｎｃｈの（特許文献２）、Ｂｏｚｚａｙ等の（特許文献３）、Ｉｏｎｏｖ等の（特許文献４）、Ｃｏｌｅｍａｎ等の（特許文献５）、Ｒａｂｏｗｓｋｙの（特許文献６）、Ｗｏｏｄの（特許文献７）、Ｐａｓｓｍｏｒｅ等の（特許文献８）、Ｄｅｓｕｒｖｉｅｗ等の（特許文献９）、ｄ’Ａｕｒｉａ等の（特許文献１０）、今西等の（特許文献１１）、（非特許文献２）、須崎の（特許文献１２）、（非特許文献３）、（非特許文献４）、Ｍｏｄｌｅｙの（特許文献１３）、Ｂｏｎａ等の（特許文献１４）、（非特許文献５）、Ｐｏｕｓｔｉｅ等の（特許文献１５）、Ｎｅｗｔｏｎ等の（特許文献１６）、Ｈａｌｅｍａｎｅ等の（特許文献１７）、Ｓｈａｗ等の（特許文献１８）、Ｈａｙｓの（特許文献１９）、Ｄｅｓｕｒｖｉｒｅ等の（特許文献２０）、Ｃｈｅｎの（特許文献２１）、Ｄｒａｙｅｒの（特許文献２２）、Ｓｍｉｔｈの（特許文献２３）、Ｈａｌｌ等の（特許文献２４）、Ｓｏｎｇの（特許文献２５）、Ｓｕの（特許文献２６）、Ｋａｎｋｏ等の（特許文献２７）、Ｍｙｅｒｓの（特許文献２８）、Ｊ．Ｊｕｄｅｎｓｔｅｉｎの（特許文献２９）、Ｓｈａｗの（特許文献３０）、Ｓｍａｌｌ等の（特許文献３１）、Ｒａｍａｃｈａｎｄｒａｎの（特許文献３２）、Ｒａｍａｃｈａｎｄｒａｎの（特許文献３３）、Ｇｏｌｗｉｃｈ等の（特許文献３４）、Ｐｏｏｌｅの（特許文献３５）及びＫｉｓｈ，Ｊｒ．等の（特許文献３６）が挙げられる。
【先行技術文献】
【特許文献】
【０００７】
【特許文献１】米国特許第５，６０２，８３８号明細書
【特許文献２】米国特許第６，００２，９１６号明細書
【特許文献３】米国特許第６，０４３，９１８号明細書
【特許文献４】米国特許第７，１０３，２８０号明細書
【特許文献５】米国特許第８，９１３，８９４号明細書
【特許文献６】米国特許出願公開第２０１０／０２６９１４３号明細書
【特許文献７】米国特許出願公開第２０１０／０２７９６０４号明細書
【特許文献８】米国特許第４，８５６，８６２号明細書
【特許文献９】米国特許第４，８１５，８０４号明細書
【特許文献１０】米国特許第４，６５３，０４２号明細書
【特許文献１１】米国特許第５，８６２，２８６号明細書
【特許文献１２】米国特許第４，１３６，９２９号明細書
【特許文献１３】米国特許第７，１９９，３４３号明細書
【特許文献１４】米国特許第５，７４０，１１７号明細書
【特許文献１５】英国特許第１９９８／０００８２１号明細書
【特許文献１６】米国特許第４，４７９，７０１号明細書
【特許文献１７】米国特許第４，８７７，９５２号明細書
【特許文献１８】米国特許第４，４６９，３９７号明細書
【特許文献１９】米国特許出願公開第２００７／００８１７８５号明細書
【特許文献２０】米国特許第４，７３８，５０３号明細書
【特許文献２１】米国特許第６，９１７，７３９号明細書
【特許文献２２】米国特許第６，１７２，９２６号明細書
【特許文献２３】米国特許第５，５３３，１５４号明細書
【特許文献２４】米国特許第５，５６６，２６１号明細書
【特許文献２５】米国特許第６，６４７，１６３号明細書
【特許文献２６】米国特許第５，０５８，０６０号明細書
【特許文献２７】米国特許出願公開第２００３／０００７２３０号明細書
【特許文献２８】米国特許出願公開第２００２／０１９６４８８号明細書
【特許文献２９】米国特許第４，１６６，２１２号明細書
【特許文献３０】米国特許第４，４７３，２７０号明細書
【特許文献３１】米国特許第８，５８２，９７２号明細書
【特許文献３２】米国特許出願公開第２００９／０２０２１９１号明細書
【特許文献３３】米国特許第７，１７７，５１０号明細書
【特許文献３４】米国特許第７，１１０，６５１号明細書
【特許文献３５】米国特許第４，９７４，９３１号明細書
【特許文献３６】米国特許第７，１０３，２３９号明細書
【非特許文献】
【０００８】
【非特許文献１】“Ｌａｓｅｒ  Ｒａｄａｒ：Ｐｒｏｇｒｅｓｓ  ａｎｄ  Ｏｐｐｏｒｔｕｎｉｔｉｅｓ  ｉｎ  Ａｃｔｉｖｅ  Ｅｌｅｃｔｒｏ−Ｏｐｔｉｃａｌ  Ｓｅｎｓｉｎｇ”２０１４
【非特許文献２】Ｐｉｄｉｓｈｅｔｙ，“Ｉｎｖｅｓｔｉｇａｔｉｏｎ  ｏｆ  ｓｃａｌａｂｉｌｉｔｙ  ｏｆ  ａｌｌ−ｆｉｂｅｒ  ｆｕｓｅｄ  ｍｏｄｅ  ｓｅｌｅｃｔｉｖｅ  ｃｏｕｐｌｅｒ  ｆｏｒ  ｇｅｎｅｒａｔｉｎｇ  ｍｕｌｔｉｐｌｅ  ＯＡＭ  ｓｔａｔｅｓ，”ｉｎ  Ｐｒｏｃｅｅｄｉｎｇｓ  ｏｆ  Ｉｎｔｅｒｎａｔｉｏｎａｌ  Ｃｏｎｆｅｒｅｎｃｅ  ｏｎ  Ｆｉｂｅｒ  Ｏｐｔｉｃｓ  ａｎｄ  Ｐｈｏｔｏｎｉｃｓ，２０１６
【非特許文献３】ＭｃＤｏｎａｌｄ  ｅｔ  ａｌ．，“Ｓｐａｔｉａｌ  Ｓｏｌｉｔａｒｙ−Ｗａｖｅ  Ｏｐｔｉｃａｌ  Ｍｅｍｏｒｙ，”Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ  Ｂ（Ｏｐｔｉｃａｌ  Ｐｈｙｓｉｃｓ），ｖｏｌ．７，ｎｏ．７，ｐｐ．１３２８−１３３５，１９９０
【非特許文献４】Ｌｅｏ  ｅｔ  ａｌ．，“Ｔｅｍｐｏｒａｌ  ｃａｖｉｔｙ  ｓｏｌｉｔｏｎｓ  ｉｎ  ｏｎｅ−ｄｉｍｅｎｓｉｏｎａｌ  Ｋｅｒｒ  ｍｅｄｉａ  ａｓ  ｂｉｔｓ  ｉｎ  ａｎ  ａｌｌ−ｏｐｔｉｃａｌ  ｂｕｆｆｅｒ，”Ｎａｔｕｒｅ  Ｐｈｏｔｏｎｉｃｓ，ｖｏｌ．４，ｐｐ．４７１−４７６，２０１０
【非特許文献５】Ｂｏｙｄ  ｅｔ  ａｌ．，“Ａｐｐｌｉｃａｔｉｏｎｓ  ｏｆ  Ｓｌｏｗ  Ｌｉｇｈｔ  ｉｎ  Ｔｅｌｅｃｏｍｍｕｎｉｃａｔｉｏｎｓ，”Ｏｐｔｉｃｓ＆Ｐｈｏｔｏｎｉｃｓ  Ｎｅｗｓ，ｖｏｌ．１７，ｎｏ．４，ｐｐ．１８−２３，２００６
【発明の概要】
【課題を解決するための手段】
【０００９】
データ格納システム及び方法を説明する。一実施形態では、本開示の態様によるシステムは、データ格納システムのディジタルデータを管理するように構成されたデータ管理システムと、ディジタルデータを伝達する高周波信号を通信衛星に伝送するように構成された地球上の送信機と、高周波信号を信号に変換し、第１のレーザ衛星に信号を伝送するように構成された通信衛星と、ディジタルデータを伝達するレーザ信号を生成するように構成されたレーザ信号生成器であって、第２のレーザ衛星にディジタルデータを伝送するように構成されたレーザ信号生成器を備える第１のレーザ衛星と、第１の衛星から伝送されたディジタルデータを第１のレーザ衛星に返送するように構成された第２のレーザ衛星とを含み、第１のレーザ衛星は、第２のレーザ衛星から伝送されたディジタルデータを第２のレーザ衛星に返送するように構成され、その結果、移動中の格納の再循環ループでディジタルデータを伝送することができ、第１のレーザ衛星及び第２のレーザ衛星の少なくとも１つは、データ管理システムによって識別されたディジタルデータのデータブロックを回収するように構成することができる。本開示の態様による再循環ループは、システムが停止されるか若しくは分解されるまで又は信号が消去されるまで信号が維持される信号ループを含み得る。
【００１０】
そのようなシステムでは、データ管理システムは、受信されたデータブロックに対する要求に応答するものとしてデータブロックを識別することができ、データブロックは、ディジタルデータ全体に満たない。
【００１１】
本開示の別の態様によれば、移動中のデータを格納するように構成された再循環ループであって、第１の輸送船と、第１の輸送船から遠く離れた所に位置付けられた第２の輸送船とを含む再循環ループを含むデータ格納システムであって、第１の輸送船が、第２の輸送船にデータを伝送するように構成された信号生成器及び信号送信機から成る群から選択された少なくとも１つを備え、第２の輸送船が、第１の輸送船から伝送されたデータを第１の輸送船に返送するように構成され、第１の輸送船が、第２の輸送船から伝送されたデータを第２の輸送船に返送するように構成される、データ格納システムが開示される。信号は、その全て又は一部を反射することによって返送することも、信号を再生して伝送することによって返送することもできる。
【００１２】
そのようなデータ格納システムのデータ管理システムは、データ格納システムのデータを管理するように構成することができ、第１の輸送船及び第２の輸送船の少なくとも１つは、データ格納システムの外部から受信されたデータブロックに対するデータ回収要求に応答するものとしてデータ管理システムによって識別されたデータのデータブロックを回収するように構成することができ、データブロックは、データ全体に満たない。
【００１３】
そのようなシステムでは、再循環ループを通じた信号の各往復に対し、信号は、移動した状態で維持することができる。
【００１４】
そのようなシステムでは、第１の輸送船及び第２の輸送船の少なくとも１つは、衛星であり得る。
【００１５】
そのようなシステムでは、第１の輸送船及び第２の輸送船の少なくとも１つは、地球を周回する地球同期軌道上の衛星であり得る。そのようなシステムでは、第１の輸送船及び第２の輸送船の少なくとも１つは、船、航空機（飛行機、熱気球若しくはドローンなど）、潜水艦又は静止海洋構造物（例えば、オイルリグ）であり得る。
【００１６】
そのようなシステムでは、再循環ループは、第３の輸送船を比較することができ、第２の輸送船は、第３の輸送船にデータを伝送することによって第３の輸送船を介して第１の輸送船にデータを返送するように構成することができる。
【００１７】
そのようなシステムでは、再循環ループは、輸送船間でデータを再循環させ、連続して次々と繰り返し起きるように構成することができる。
【００１８】
そのようなシステムでは、第１及び輸送船の少なくとも１つは、信号を返送するように位置付けられた及び構成された反射表面を備え得る。
【００１９】
そのようなシステムでは、第２の輸送船は、信号を返送するように位置付けられた及び構成されたコーナーキューブを備え得る。そのような再循環リンクへの陸上局信号リンクは、電磁信号伝達（ＲＦ若しくは光信号など）又は他のタイプの信号伝達を使用することができる。
【００２０】
そのようなシステムでは、信号生成器及び信号送信機の少なくとも１つは、データを伝達する及び第２の輸送船に伝送される電磁放射線信号を生成することができる。
【００２１】
そのようなシステムでは、信号生成器及び信号送信機の少なくとも１つは、データを伝達する及び第２の輸送船に伝送される光ビーム信号（例えば、レーザ信号）を生成することができる。
【００２２】
そのようなシステムでは、信号生成器及び信号送信機の少なくとも１つは、多重化信号の第１のセットを含む多重化電磁信号を生成するように構成することができ、多重化電磁信号の第１のセットの各信号は、多重化信号の第１のセットとは異なる多重化スキームを使用して生成された多重化電磁信号の第２のセットを含む。
【００２３】
そのようなシステムでは、第１の輸送船は、第２の輸送船に関する位置情報を維持するように構成することができるシステムアセットトラッカを備える。
【００２４】
そのようなシステムでは、システムは、データ完全性を保証するために巡回冗長検査を実行するように構成された誤りチェッカをさらに備え得る。
【００２５】
また、そのようなシステムは、第１の時刻に、第１の動作を実行するためにデータ格納システムの外部から第１の要求を受信するステップであって、第１の動作が、データの第１のデータブロックに対する読取動作、書込動作及び削除動作のうちの１つを含む、ステップと、第１の時刻の後の第２の時刻に、第２の動作を実行するためにデータ格納システムの外部から第２の要求を受信するステップであって、第２の動作が、データの第２のデータブロックに対する読取動作、書込動作及び削除動作のうちの１つを含む、ステップとを行うように構成されたコントローラを含み得、システムは、第２の動作を実行した後に第１の動作を実行する。
【００２６】
そのようなシステムでは、第１の動作が読取動作である場合、第２の動作は読取動作であり得、第１の動作が書込動作である場合、第２の動作は書込動作であり得、第１の動作が削除動作である場合、第２の動作は削除動作であり得る。
【００２７】
そのようなシステムでは、信号生成器及び信号送信機の少なくとも１つは、符号分割多重化信号を信号として生成するように構成することができ、符号分割多重化信号は、多重化信号の第１のセットを含み、その結果、第１のセットの第１の多重化信号は、第１のセットの第２の多重化信号以外のデータを伝達する。
【００２８】
そのようなシステムでは、信号生成器及び信号送信機の少なくとも１つは、軌道角運動量分割多重化信号を信号として生成するように構成することができ、軌道角運動量分割多重化信号は、多重化信号の第１のセットを含み、その結果、第１のセットの第１の多重化信号は、第１のセットの第２の多重化信号以外のデータを伝達する。
【００２９】
そのようなシステムでは、信号生成器及び信号送信機の少なくとも１つは、空間分割多重化信号を信号として生成するように構成することができ、空間分割多重化信号は、多重化信号の第１のセットを含み、その結果、第１のセットの第１の多重化信号は、第１のセットの第２の多重化信号以外のデータを伝達する。
【００３０】
そのようなシステムでは、信号生成器及び信号送信機の少なくとも１つは、偏波分割多重化信号を信号として生成するように構成することができ、偏波分割多重化信号は、多重化信号の第１のセットを含み、その結果、第１のセットの第１の多重化信号は、第１のセットの第２の多重化信号以外のデータを伝達する。
【００３１】
そのようなシステムでは、信号生成器及び信号送信機の少なくとも１つは、周波数分割多重化信号を信号として生成するように構成することができ、周波数分割多重化信号は、多重化信号の第１のセットを含み、その結果、第１のセットの第１の多重化信号は、第１のセットの第２の多重化信号以外のデータを伝達する。
【００３２】
また、そのようなシステムは、信号の部分によって伝達されたデータブロックを信号の部分の物理的プロパティ及び場所の少なくとも１つと関連付けるように構成されたデータ管理システムと、データブロックの動作を制御する制御信号を生成するように構成されたコントローラであって、制御信号が、信号の部分の物理的プロパティ及び場所の少なくとも１つを参照してクロック信号に基づいて生成することができる、コントローラとを含み得る。
【００３３】
また、そのようなシステムは、データ格納システムのデータを管理するように構成されたデータ管理システムであって、データのデータブロックの削除、書込及び更新の少なくとも１つを行うために、データ格納システムの外部から要求を受信するように構成されたデータ管理システムを含み得、再循環ループは、データ管理システムから受信された情報に基づいて、信号の第１の部分を消去するように構成されたイレイサを含み、第１の部分は、データブロックを伝達し、データブロックは、データ全体に満たない。
【００３４】
本開示の別の態様によれば、移動中のディジタルデータを伝達するレーザ信号を維持するように構成された再循環ループであって、光導波路、光導波路カプラ及び再生器を含む再循環ループと、ディジタルデータを伝達するレーザ信号を生成し、入力／出力光導波路にレーザ信号を伝送するように構成された信号生成器とを含むデータ格納システムであって、光導波路カプラが、入力／出力光導波路と光導波路との間でレーザ信号を結合し、再生器が、光導波路に結合され、光導波路を通じてレーザ信号を増幅及び／又は再生するように構成される、データ格納システムが開示される。
【００３５】
また、そのようなシステムは、データ格納システムのディジタルデータを管理するように構成されたデータ管理システムを含み得、再循環ループは、データ管理システムによって提供された情報に基づくタイミングに従って、ディジタルデータのデータブロックを伝達するレーザ信号の部分を消去するように構成されたイレイサであって、レーザ信号の部分が、レーザ信号全体に満たない、イレイサを含み得る。
【００３６】
そのようなシステムでは、信号生成器は、多重化信号をレーザ信号として生成するように構成することができ、多重化信号は、多重化レーザ信号の第１のセットを含み、その結果、第１のセットの第１の多重化レーザ信号は、第１のセットの第２の多重化レーザ信号以外のデータを伝達し、多重化信号の第１のセットの各レーザ信号は、多重化信号の第１のセットを生成するために使用された多重化スキームとは異なる多重化スキームを使用して生成された多重化レーザ信号の第２のセットを含む。
【００３７】
そのようなシステムでは、多重化レーザ信号の第２のセットの各レーザ信号は、多重化レーザ信号の第３のセットを含み得、多重化レーザ信号の第３のセットは、多重化信号の第１のセットを生成するために使用された多重化スキームとは異なる多重化スキームであって、多重化信号の第２のセットを生成するために使用された多重化スキームとは異なる多重化スキームを使用して生成される。
【００３８】
本開示のさらなる態様によれば、移動中のデータを伝達する信号を維持するように構成された再循環ループであって、導波路及び導波路カプラを含む再循環ループであり、導波路カプラが、データを伝達する信号を結合して導波路に入れるように構成される、再循環ループと、信号の増幅及び再生の少なくとも１つによって導波路を通じて運ばれた信号を調節するように構成された信号調節器とを含むデータ格納システムが開示される。
【００３９】
そのようなシステムでは、導波路は、光ファイバを含み得る。
【００４０】
そのようなシステムは、導波路カプラに信号を伝送するように構成された信号生成器を含み得、信号生成器によって生成された信号は、電磁信号であり得る。
【００４１】
そのようなシステムは、導波路カプラに信号を伝送するように構成された信号生成器を含み得、信号生成器によって生成された信号は、レーザ信号であり得る。
【００４２】
そのようなシステムでは、再循環ループは、信号調節器をさらに含み得、導波路は、導波路カプラと信号調節器との間で信号を運ぶように位置付けられた第１のセグメントと、信号調節器に接続された第２のセグメントとを含み得、第１のセグメントは、第２のセグメントとは物理的に直接接続されない。
【００４３】
そのようなシステムでは、再循環ループは、信号調節器を含み得、信号調節器は、信号が信号調節器を通過するたびに信号の少なくとも一部分を増幅するように構成された信号増幅器を含み得る。
【００４４】
そのようなシステムは、データ格納システムのデータを管理するように構成されたデータ管理システムであって、データのデータブロックの削除、書込及び更新の少なくとも１つを行うために、データ格納システムの外部から要求を受信するように構成されたデータ管理システムを含み得、再循環ループは、データ管理システムから受信された情報に基づいて、信号の第１の部分を消去するように構成されたイレイサを含み得、第１の部分は、データブロックを伝達し、データブロックは、データ全体に満たない。
【００４５】
そのようなシステムでは、データ管理システムは、要求及びタイミング情報のデータ管理システムからイレイサによって受信された情報に従ってタイミング情報を生成するように構成することができる。
【００４６】
そのようなシステムは、導波路カプラに信号を伝送するように構成された信号生成器を含み得、信号生成器によって生成されたデータを伝達する信号は、伝播方向マルチプレクサによって多重化された信号であり得、伝播方向マルチプレクサは、再循環ループを通じて第１の方向に信号の第１の部分を伝送し、再循環ループを通じて第１の方向とは異なる第２の方向に信号の第２の部分を伝送するように構成される。
【００４７】
そのようなシステムは、信号再生器を含み得、信号調節器は、信号の少なくともいくつかを増幅するように構成された信号増幅器であり得、信号再生器は、第１のタイミングに、信号全体に満たない信号の第１の部分のみを再生し、第１のタイミングの後の第２のタイミングに、信号全体に満たない信号の第２の部分のみを再生するように構成することができる。
【００４８】
そのようなシステムでは、システムは、非同期的に信号を再生することができ、その結果、第２の部分は、信号の最も長い間再生されていない部分である。
【００４９】
そのようなシステムでは、システムは、第３のタイミングに、信号の第１の部分のみを再生し、第４のタイミングに、信号の第２の部分のみを再生することができ、第１のタイミングと第３のタイミングとの間の間隔は、第２のタイミングと第４のタイミングとの間の間隔より大きい。
【００５０】
そのようなシステムでは、システムは、信号の第２の部分のみの再生と交互に行われる信号の第１の部分のみの再生を行うことができる。
【００５１】
また、そのようなシステムは、第１の時刻に、第１の動作を実行するためにデータ格納システムの外部から第１の要求を受信するステップであって、第１の動作が、データの第１のデータブロックに対する読取動作、書込動作及び削除動作のうちの１つを含む、ステップと、第１の時刻の後の第２の時刻に、第２の動作を実行するためにデータ格納システムの外部から第２の要求を受信するステップであって、第２の動作が、データの第２のデータブロックに対する読取動作、書込動作及び削除動作のうちの１つを含む、ステップとを行うように構成されたコントローラを含み得、システムは、第２の動作を実行した後に第１の動作を実行する。
【００５２】
そのようなシステムでは、第１の動作が読取動作である場合、第２の動作は読取動作であり得、第１の動作が書込動作である場合、第２の動作は書込動作であり得、第１の動作が削除動作である場合、第２の動作は削除動作であり得る。
【００５３】
また、そのようなシステムは、データ完全性決定器を含み得、データ完全性決定器は、信号再生器が第１の部分を再生した場合に第１の部分のみのデータ完全性を決定し、信号再生器が第２の部分を再生した場合に第２の部分のみのデータ完全性を決定するように構成される。
【００５４】
そのようなシステムでは、システムは、データ完全性を保証するために巡回冗長検査を実行するように構成された誤り巡回冗長チェッカをさらに備え得る。
【００５５】
そのようなシステムでは、再循環ループは、信号の信号強度に応じて、非線形方式で、信号に対して信号損失を与えるように構成された信号フィルタをさらに含み得る。
【００５６】
そのようなシステムでは、再循環ループは、第１の値未満の信号強度を有する信号の部分をフィルタ除去するように構成された信号フィルタをさらに含み得る。
【００５７】
そのようなシステムでは、再循環ループは、信号の第１の部分に信号損失を提供するように構成された信号フィルタをさらに含み得、信号の第１の部分は、信号の第２の部分より大きい信号強度を有し、提供される信号損失は、信号の第１の部分の時間的に変動する強度の数学関数であり得る。
【００５８】
そのようなシステムでは、再循環ループは、信号の第１の部分及び信号の第２の部分に信号損失を提供するように構成された信号フィルタをさらに含み得、第１の部分は、第２の部分より大きい信号強度を有し、第１の部分に提供される信号損失は、往復利得より大きいものであり得、第２の部分に提供される信号損失は、往復利得より小さいものであり得る。
【００５９】
そのようなシステムでは、再循環ループは、第１の屈折率を有する材料を含む信号フィルタをさらに含み得、信号フィルタは、第１の値未満の信号強度を有する信号の第１の部分に信号損失を提供し、材料の屈折率を変更して、第１の値より高い第２の強度を有する信号の第２の部分に信号損失を提供するように構成することができる。
【００６０】
そのようなシステムでは、導波路カプラは、第１のカプラ及び第２のカプラを含み得、第１のカプラは、信号の第１の部分のみを結合するように構成され、第２のカプラは、第１の部分以外の信号の第２の部分のみを結合するように構成され、第１及び第２の部分は、第１の多重化スキームの一部として信号で多重化される。
【００６１】
そのようなシステムでは、第１のカプラは、第３のカプラ及び第４のカプラを含み得、第３のカプラは、第２の部分以外の信号の第３の部分のみを結合するように構成され、第４のカプラは、第２の部分以外及び第３の部分以外の信号の第４の部分のみを結合するように構成され、第１の部分は、第３及び第４の部分を含み得、第３及び第４の部分は、第１の多重化スキームとは異なる第２の多重化スキームの一部として信号で多重化される。
【００６２】
そのようなシステムでは、導波路カプラは、導波路に信号を伝送するように構成された信号入力カプラと、導波路から信号を取り除くように構成された信号出力カプラとを含み得、信号入力カプラは、再循環ループにおいて、信号出力カプラから遠く離れた所に位置付けることができる。
【００６３】
そのようなシステムでは、導波路は、ナノ構造化光ファイバであり得る。
【００６４】
また、そのようなシステムは、導波路カプラに信号を伝送するように構成された信号生成器を含み得、信号生成器は、多重化電磁信号を信号として生成するように構成することができ、多重化電磁信号は、多重化電磁信号の第１のセットを含み、その結果、第１のセットの第１の多重化信号は、第１のセットの第２の多重化信号以外のデータを伝達し、多重化電磁信号の第１のセットの各信号は、多重化電磁信号の第１のセットを生成するために使用された多重化スキームとは異なる多重化スキームを使用して生成された多重化電磁信号の第２のセットを含み得る。
【００６５】
そのようなシステムでは、多重化電磁信号の第２のセットの各レーザ信号は、多重化電磁信号の第３のセットを含み得、多重化電磁信号の第３のセットは、多重化電磁信号の第１のセットを生成するために使用された多重化スキームとは異なる多重化スキームであって、多重化電磁信号の第２のセットを生成するために使用された多重化スキームとは異なる多重化スキームを使用して生成される。
【００６６】
また、そのようなシステムは、導波路カプラに信号を伝送するように構成された信号生成器を含み得、信号生成器は、符号分割多重化信号を信号として生成するように構成することができ、符号分割多重化信号は、多重化信号の第１のセットを含み、その結果、第１のセットの第１の多重化信号は、第１のセットの第２の多重化信号以外のデータを伝達する。
【００６７】
また、そのようなシステムは、導波路カプラに信号を伝送するように構成された信号生成器を含み得、信号生成器は、軌道角運動量分割多重化信号を信号として生成するように構成することができ、軌道角運動量分割多重化信号は、多重化信号の第１のセットを含み、その結果、第１のセットの第１の多重化信号は、第１のセットの第２の多重化信号以外のデータを伝達する。
【００６８】
また、そのようなシステムは、導波路カプラに信号を伝送するように構成された信号生成器を含み得、信号生成器は、空間分割多重化信号を信号として生成するように構成することができ、空間分割多重化信号は、多重化信号の第１のセットを含み、その結果、第１のセットの第１の多重化信号は、第１のセットの第２の多重化信号以外のデータを伝達する。
【００６９】
また、そのようなシステムは、導波路カプラに信号を伝送するように構成された信号生成器を含み得、信号生成器は、偏波分割多重化信号を信号として生成するように構成することができ、偏波分割多重化信号は、多重化信号の第１のセットを含み、その結果、第１のセットの第１の多重化信号は、第１のセットの第２の多重化信号以外のデータを伝達する。
【００７０】
また、そのようなシステムは、導波路カプラに信号を伝送するように構成された信号生成器を含み得、信号生成器は、周波数分割多重化信号を信号として生成するように構成することができ、周波数分割多重化信号は、多重化信号の第１のセットを含み、その結果、第１のセットの第１の多重化信号は、第１のセットの第２の多重化信号以外のデータを伝達する。
【００７１】
また、そのようなシステムは、信号の部分によって伝達されたデータブロックを信号の部分の物理的プロパティ及び場所の少なくとも１つと関連付けるように構成されたデータ管理システムと、データブロックの動作を制御する制御信号を生成するように構成されたコントローラであって、制御信号が、信号の部分の物理的プロパティ及び場所の少なくとも１つを参照してクロック信号に基づいて生成される、コントローラとを含み得る。
【００７２】
また、そのようなシステムは、データ格納システムのデータを管理するように構成されたデータ管理システムであって、データのデータブロックの削除、書込及び更新の少なくとも１つを行うために、データ格納システムの外部から要求を受信するように構成されたデータ管理システムを含み得、再循環ループは、データ管理システムから受信された情報に基づいて、信号の第１の部分を消去するように構成されたイレイサを含み得、第１の部分は、データブロックを伝達し、データブロックは、データ全体に満たない。
【００７３】
そのようなシステムでは、信号調節器は、信号の第１の部分に第１の信号利得を提供するように構成することができ、第１の信号利得は、再循環ループを通じて以前の信号の往復に対して得られた信号強度に関する情報に従って提供することができる。
【００７４】
そのようなシステムでは、信号調節器は、信号の第１の部分に信号増幅を提供することによって信号のフィルタリングを提供するように構成することができ、信号増幅は、第１の部分が位相整合条件を満たす場合に第１の部分に提供することができる。
【００７５】
そのようなシステムでは、信号調節器は、ポンプビーム及びアイドラビームを提供するように構成することができ、ポンプビーム及びアイドラビームは、フィルタリングを提供するように構成される。
【００７６】
また、そのようなシステムは、移動中のデータを伝達する光信号を維持するように構成された再循環ループを含む光空洞を含み得、再循環ループは、信号カプラ、第１の信号リターナ及び信号調節器を含み、信号調節器は、信号の増幅及び再生の少なくとも１つによって信号を調節するように構成され、信号カプラは、信号を第１の信号リターナに伝送することによって信号の少なくとも一部分を結合して光空洞に入れるように構成され、第１の信号リターナは、信号カプラに信号を返送するように位置付けられ及び構成され、信号カプラは、第１の信号リターナから受信された信号を第１の信号リターナに返送するように構成される。
【００７７】
そのようなシステムでは、信号カプラは、光空洞に信号を伝送するように構成された信号入力カプラと、光空洞から信号を取り除くように構成された信号出力カプラとを含み得、信号入力カプラは、光空洞において、信号出力カプラから遠く離れた所に位置付けることができる。
【００７８】
そのようなシステムでは、ループは、第２の信号リターナを含み、第１の信号リターナは、第２の信号リターナに信号を伝送することによって信号カプラに信号を返送するように構成することができる。
【００７９】
そのようなシステムでは、光空洞は、連続反射表面を含み得、連続反射表面は、第１の信号リターナ及び第２の信号リターナを含む。
【００８０】
そのようなシステムでは、第１の信号リターナは、信号を反射表面に反射させることによって信号を返送することができる。
【００８１】
本開示の態様によれば、光信号をフィルタリングする方法であって、信号利得を提供することによって光信号を増幅するステップと、光信号の信号強度に応じて、非線形方式で、光信号に対して信号損失を与えるステップとを含む、方法であり、信号損失を与えるステップが、光信号の第１の部分に信号損失を提供するステップであって、光信号の第１の部分が、光信号の第２の部分より大きい信号強度を有し、第１の部分に提供される信号損失が、信号利得より大きい、ステップと、信号利得より小さい信号損失を第２の部分に提供するステップとを含む、方法も提供される。
【００８２】
そのような方法では、提供される信号損失は、信号の第１の部分の時間的に変動する強度の数学関数であり得る。
【００８３】
そのような方法では、信号フィルタは、第１の屈折率を有する材料を含み得、信号フィルタは、第１の値未満の信号強度を有する信号の第３の部分に信号損失を提供するように構成され、方法は、材料の屈折率を変更して、第１の値より高い第２の強度を有する信号の第１の部分に信号損失を提供するステップを含み得る。
【００８４】
また、移動中のデータを伝達する信号を維持するように構成された再循環ループであって、信号イントロデューサ及び信号リターナを含む再循環ループを使用したデータ格納方法も説明される。この方法は、信号イントロデューサによって、データを伝達する信号を再循環ループに導入するステップと、信号リターナによって、信号イントロデューサに信号を返送するステップと、信号イントロデューサによって、信号リターナから受信された信号を信号リターナに返送するステップとを含み得る。
【００８５】
そのような方法では、信号リターナは、導波路であり得、信号イントロデューサは、信号生成器と導波路との間で信号を結合するように構成された導波路カプラであり得る。
【００８６】
そのような方法では、信号リターナは、反射表面を含み得る。
【００８７】
そのような方法では、信号イントロデューサは、輸送船上に位置付けることができる。
【００８８】
また、そのような方法は、再循環ループを通じて第１の方向に信号の第１の部分を再循環するステップと、再循環ループを通じて第１の方向とは異なる第２の方向に信号の第２の部分を再循環するステップであって、第１の部分が、第１の部分以外のものである、ステップとを含み得る。
【００８９】
そのような方法では、信号生成器は、多重化電磁信号を信号として生成するように構成することができ、多重化電磁信号は、多重化電磁信号の第１のセットを含み、その結果、第１のセットの第１の多重化信号は、第１のセットの第２の多重化信号以外のデータを伝達し、多重化電磁信号の第１のセットの各信号は、多重化電磁信号の第１のセットを生成するために使用された多重化スキームとは異なる多重化スキームを使用して生成された多重化電磁信号の第２のセットを含み得る。
【００９０】
そのような方法では、多重化電磁信号の第２のセットの各信号は、多重化電磁信号の第３のセットを含み得、多重化電磁信号の第３のセットは、多重化電磁信号の第１のセットを生成するために使用された多重化スキームとは異なる多重化スキームであって、多重化電磁信号の第２のセットを生成するために使用された多重化スキームとは異なる多重化スキームを使用して生成される。
【００９１】
そのような方法では、信号生成器は、符号分割多重化信号を信号として生成するように構成することができ、符号分割多重化信号は、多重化信号の第１のセットを含み、その結果、第１のセットの第１の多重化信号は、第１のセットの第２の多重化信号以外のデータを伝達する。
【００９２】
そのような方法では、信号生成器は、軌道角運動量分割多重化信号を信号として生成するように構成することができ、軌道角運動量分割多重化信号は、多重化信号の第１のセットを含み、その結果、第１のセットの第１の多重化信号は、第１のセットの第２の多重化信号以外のデータを伝達する。
【００９３】
そのような方法では、信号生成器は、空間分割多重化信号を信号として生成するように構成することができ、空間分割多重化信号は、多重化信号の第１のセットを含み、その結果、第１のセットの第１の多重化信号は、第１のセットの第２の多重化信号以外のデータを伝達する。
【００９４】
そのような方法では、信号生成器は、偏波分割多重化信号を信号として生成するように構成することができ、偏波分割多重化信号は、多重化信号の第１のセットを含み、その結果、第１のセットの第１の多重化信号は、第１のセットの第２の多重化信号以外のデータを伝達する。
【００９５】
そのような方法では、信号生成器は、周波数分割多重化信号を信号として生成するように構成することができ、周波数分割多重化信号は、多重化信号の第１のセットを含み、その結果、第１のセットの第１の多重化信号は、第１のセットの第２の多重化信号以外のデータを伝達する。
【００９６】
そのような方法では、データ管理システムは、信号の部分によって伝達されたデータブロックを信号の部分の物理的プロパティ及び場所の少なくとも１つと関連付けるように構成することができ、方法は、データブロックの動作を制御する制御信号を生成するステップであって、制御信号が、信号の部分の物理的プロパティ及び場所の少なくとも１つを参照してクロック信号に基づいて生成される、ステップをさらに含み得る。
【００９７】
そのような方法では、データ管理システムは、データ格納システムのデータを管理するように構成することができ、方法は、データのデータブロックの削除、書込及び更新の少なくとも１つを行うために、データ格納システムの外部から要求を受信するステップと、再循環ループに含まれるイレイサによって、データ管理システムから受信された情報に基づいて、信号の第１の部分を消去するステップであって、第１の部分が、データブロックを伝達し、データブロックが、データ全体に満たない、ステップとをさらに含み得る。
【００９８】
また、そのような方法は、再循環ループに位置付けられた信号調節器によって、信号の第１の部分に第１の信号利得を提供するステップであって、第１の信号利得が、再循環ループを通じて以前の信号の往復に対して得られた信号強度に関する情報に従って提供することができる、ステップを含み得る。
【００９９】
また、そのような方法は、第１の部分が位相整合条件を満たす場合に、信号調節器によって、信号の第１の部分に信号増幅を提供することによって信号のフィルタリングを提供するステップを含み得る。
【０１００】
本発明の他の特徴及び利点は、添付の図面を参照する本発明の以下の説明から明らかになるであろう。
【図面の簡単な説明】
【０１０１】
【図１】本開示の例による、衛星ベースの情報格納システムの主要な構成要素を示す。
【図２Ａ】本開示の例による、ユーザ及び衛星ベースの情報格納システムと通信する地球局のコンポーネントを示す。
【図２Ｂ】本開示の例による、ユーザがそれにより最初に衛星と通信するシステムを示し、ＤＭＳ又は他のコンポーネントの全て又は一部を保持するために地球局を使用しても使用しなくともよい。
【図３】本開示の態様による、衛星の位置付けの追加の例を示す。
【図４】本開示の態様による、衛星の位置付けの追加の例を示す。
【図５】本開示の態様による、衛星の位置付けの追加の例を示す。
【図６】本開示の態様による、衛星の位置付けの追加の例を示す。
【図７】本開示の態様による、衛星の位置付けの追加の例を示す。
【図８】本開示の態様による、衛星の位置付けの追加の例を示す。
【図９】信号の受信及び返送を行うためのコーナーキューブの例の図解である。
【図１０】本開示の態様による、電磁信号を反射構造（図１０ではコーナーキューブとして示される）に伝送する電磁信号衛星の例を示し、その衛星は、反射して返ってきた信号を受信する。
【図１１】本開示の態様による、電磁信号を反射構造（図１０ではコーナーキューブとして示される）に伝送する電磁信号衛星の例を示し、その衛星は、反射して返ってきた信号を受信する。
【図１２】本開示の態様による、導波路を通じて第２の電磁通信デバイスに電磁信号を伝送する第１の電磁信号通信デバイスと、第１の電磁通信デバイスに信号を送り返す第２の電磁通信デバイスとの間の通信システムの例を示す。
【図１３】本開示の態様による、地球上又は地中の構成の例の図解であり、第１の電磁通信信号デバイスは、反射器表面（コーナーキューブ又は別のタイプの反射器であり得る）に電磁通信信号を伝送し、次いで、電磁通信信号は、反射して電磁信号通信デバイスに返される。
【図１４】本開示の態様による、本開示の態様の空上の実装形態の例の図解であり、航空機又は他の空中輸送船、乗り物若しくは構造は、電磁信号を互いに反射するか又は再生して再伝送する電磁信号通信デバイスを有する。
【図１５】本開示の態様による、空上の実装形態の例の図解であり、１つ又は複数の構造或いは航空機又は空中乗り物若しくは輸送船は、第１の電磁信号通信デバイスを含み、第１の電磁信号通信デバイスは、第２の航空機（例示を目的として、飛行機として示される）上に又は第２の航空機に取り付けられた第２の電磁通信デバイスに電磁信号を伝送し、次いで、第２の電磁通信デバイスは、反射して第１の電磁信号通信デバイスに返されるか或いはコーナーキューブ又は他のタイプの反射性表面などの構造を有し、その構造は、電磁信号を反射して第１の電磁信号通信デバイスに返す。
【図１６】本開示の態様による、別の空上の実装形態の例の図解であり、図１４の実施形態と同様であるが、電磁信号通信デバイス及び／又は反射性構造は、ジェットエンジン又はプロペラなしの空中輸送船（例として、熱気球、ヘリウム風船若しくは小型飛行船として示される）上に取り付けられている。
【図１７】本開示の態様による、本開示の態様の海上の実装形態の例の図解であり、第１の電磁信号通信デバイスは、海上の輸送船又は乗り物（説明に役立つ例として、潜水艦として示される）上に取り付けられ、輸送船（説明に役立つ例として、船及び潜水艦として示される）に取り付けるか又は収納することができる第２の電磁信号通信デバイスに電磁信号を伝送し、次いで、第２の電磁信号通信デバイスは、電磁信号を反射して第１の電磁信号通信デバイスに返すか、又は、信号を再生して、第１の電磁通信デバイスに電磁信号を再伝送することができる。
【図１８】本開示の態様による、レーザ通信を使用して信号受信機Ａと信号受信機Ｂとの間で通信するためのシステムの概要の図解であり、受信機は、反射器と共に信号ループを形成する。
【図１９】本開示の態様による、レーザ通信を使用して信号受信機Ａと信号受信機Ｂとの間で通信するためのシステムの概要の図解であり、受信機は、信号ループを形成する。
【図２０】導波路を通じてなど、ループを通じて移動する信号の例の概略図解である。
【図２１】本開示の態様による、導波路を使用したループベースの移動中の格納システムを再循環するデータの管理を可能にするための電子制御システムの例の概略図解である。
【図２２】本開示の態様による、光ファイバスプールを使用した移動中のデータ格納のためのループの例の概略図解である。
【図２３】本開示の態様による、信号を変調するためのシステムの例の概略図解である。
【図２４Ａ】同じ設備若しくはコンテナ内に位置付けるか又は互いに遠く離れた所に位置付けることができる接続用の伝送及び受信ハードウェアを伴う導波路として使用された光ファイバのスプールを示す。
【図２４Ｂ】同じ設備若しくはコンテナ内に位置付けるか又は互いに遠く離れた所に位置付けることができる接続用の伝送及び受信ハードウェアを伴う導波路として使用された光ファイバのスプール、並びに、第１の構成と同じ設備内に位置付けることができるか又は第１の構成から遠く離れた所に位置付けることができるさらなるそのような構成を示す。
【図２４Ｃ】情報を格納するために第１及び第２の端部が同じ電子システムに接続された導波路として使用された光ファイバのスプールを示す。
【図２５】本開示の態様による、再循環ループ内での信号の波長分割多重化／逆多重化を利用した移動中の格納のためのシステムの例の概略図解である。
【図２６】本開示の態様による、信号の増幅調節の例の概略図解である。
【図２７】本開示の態様による、光導波路ループにおける空間分割多重化システムを利用した移動中の格納のためのシステムの例の概略図解である。
【図２８】本開示の態様による、導波路ループに対する伝播方向分割多重化（ＤＤＭ）を利用した移動中の格納のためのシステムの例の概略図解である。
【図２９】本開示の態様による、再循環ループの自由空間の実装形態における波長分割多重化及び／又は空間分割多重化並びに方向分割多重化を利用したシステムの例の概略図解である。
【図３０】本開示の態様による、信号利得及び雑音低減を制御するために安定性を提供するループに対するパッシブ非線形フィルタの例の概略図解である。
【図３１Ａ】本開示の態様による、非線形フィルタがどのように信号再循環ループに対する利得安定性及び雑音低減を提供することができるかの例を示す。
【図３１Ｂ】本開示の態様による、非線形フィルタがどのように信号再循環ループに対する利得安定性及び雑音低減を提供することができるかの例を示す。
【図３１Ｃ】本開示の態様による、非線形フィルタがどのように信号再循環ループに対する利得安定性及び雑音低減を提供することができるかの例を示す。
【図３１Ｄ】本開示の態様による、非線形フィルタがどのように信号再循環ループに対する利得安定性及び雑音低減を提供することができるかの例を示す。
【図３１Ｅ】本開示の態様による、非線形フィルタがどのように信号再循環ループに対する利得安定性及び雑音低減を提供することができるかの例を示す。
【図３１Ｆ】本開示の態様による、非線形フィルタがどのように信号再循環ループに対する利得安定性及び雑音低減を提供することができるかの例を示す。
【図３２Ａ】本開示の態様による、再循環ループの例を示し、各再循環ループは、光空洞によって形成される。
【図３２Ｂ】本開示の態様による、再循環ループの例を示し、各再循環ループは、光空洞によって形成される。
【図３２Ｃ】本開示の態様による、再循環ループの例を示し、各再循環ループは、光空洞によって形成される。
【発明を実施するための形態】
【０１０２】
図面は、本開示の態様の例を示す。本開示の他の特徴及び利点は、添付の図面を参照する、本発明の以下の説明から並びに／或いは図及びテキスト記述のうちの１つ又は複数の組合せから明らかになるであろう。
【０１０３】
電磁放射線として又は１つ若しくは複数の他のタイプの移動中の信号として情報又は任意の種類のデータを格納するための方法及びシステムが開示される。再循環ループは、例えば、移動中のデータを伝達する信号を維持する。再循環ループは、自由空間において又は導波路（１つ若しくは複数の光ファイバなど）を通じてデータを反射するか又は別の方法で再伝送する衛星又は他の輸送船から形成することができる。また、再循環ループは、再循環ループに信号を注入したり、再循環ループから信号を取り除いたりするカプラや、ループを再循環する信号を増幅し、信号をフィルタリングすることができる信号調節器（増幅器など）も含み得る。光空洞もまた、再循環ループの信号を維持するために使用することができる。信号を反射するか又は別の方法で返送するノードを順序どおりに繰り返すことも、往復するたびにノードの順序を変化させることもできる。導波路の実装形態及び光空洞の実装形態は、地球上の若しくは他のデータセンタとして又はスタンドアロンデバイスとして提供することができ、信号はレーザであり得る。
【０１０４】
一例では、衛星ベースのレーザ、陸上の若しくは水上／水面下のレーザ又は光ビーム或いは他の電磁放射線のような任意のものを使用してデータの伝送及び格納を行うことができる。電磁放射線又は電磁ビームは、本明細書で使用される場合は、レーザビーム又は信号、メーザビーム又は信号、光ビーム又は信号を含むいかなる種類の電磁信号も、音響波、電波、ＩＲ放射線、ＵＶ放射線、マイクロ波帯の伝送を含むいかなるタイプの有線又は無線信号も、前述の２つ以上のいかなる組合せも含み得る。本明細書では所々で単にレーザビーム又は信号と呼ばれているが、誘導、整形若しくは整相が行われているか又は前述のいずれでもないかにかかわらず、他のタイプの光信号及び他のタイプの電磁放射線伝送（電波、マイクロ波、ＩＲ、ＵＶ及び電磁放射線の波長の帯域幅の組合せを含む）も含まれることが意図される。衛星は、本明細書で使用される場合は、人工又は自然の衛星又は同じ軌道を周回する物体を含み得、これらに限定されないが、ＬＥＯ（地球低軌道）、ＭＥＯ（通常、ＬＥＯ（約２，０００ｋｍ）の上方且つＧＥＯ（約３５，７００ｋｍ〜３５，８００ｋｍ）の下方として理解される地球中軌道）、ＧＥＯ（地球静止軌道又は地球同期軌道）又はさらに遠い軌道の物体、或いは、他の任意の軌道又は位置の物体を含み得、これらに限定されないが、月及び他の天体を周回する物体を含み、これらに限定されないが、月上の、ラグランジュ点における、宇宙ステーション上の及び／又は地球、宇宙若しくは水中の／水上の／水面下の他の任意の位置における反射器、鏡、コーナーキューブ、電磁（ＲＦ、レーザ光など）受信機及び／又は送信機を含む。さらに、衛星という用語は、本明細書で使用される場合は、衛星として単独で配備されるか又はさらなる従来の衛星構造上の、同衛星構造の近くの若しくは同衛星構造と関連付けられた反射性表面などの構造（例えば、コーナーキューブを含む）を指し得る。信号は、本明細書で使用される場合は、レーザ若しくは光信号又は相次いで伝送される一連の信号バーストなどのビームを意味し得る。本明細書では所々で「情報」又は「データ」と呼ばれているが、信号又はビームの一部として伝送されるものは、非ペイロードデータ、命令、ヘッダ及びフッタデータ、暗号化データ、制御データ並びに他のデータを含むいかなる種類のデータも含み得ることが理解されよう。いくつかの実施形態では、データは、特有の「ハードドライブ」ユニット又は記憶装置、データラックマウント方式のデバイス、ボックスコンピュータシステム、光ファイバケーブル、電磁信号の転送が可能な自由空間又は他の任意の形態若しくは物質内に、電磁放射線として移動中に格納することができる。本開示の一態様によれば、ループは、復調することも、電気信号として格納することもなく、信号を再循環させることができる。例えば、信号は、反射、増幅及び／又はフィルタリングを伴う場合でも、連続動作中の状態で維持することができる。本開示の別の態様によれば、再循環ループは、信号のいくつか又は全体が各往復において通過させられるか又はループを通じて通過させられる一時的な電子データバッファを含み得る。
【０１０５】
図１に示されるように、地球局２０ａは、例えば、高周波伝送を介して、衛星ベースの格納システムに情報を格納するためのコマンド、情報を更新するためのコマンド及び衛星ベースの格納システムから情報を回収するためのコマンドを伝送する。地球局２０ａは、図１に示されるように、説明に役立つ例として、通信衛星３０ａと通信することができる。別の実施形態では、エンドユーザは、ＶＳＡＴ（超小型地上局）又は他の任意の技術若しくは他の任意の形態の電磁通信を使用して、データ格納システムの衛星と直接通信することができる。エンドユーザは、衛星又は他の任意の形態の通信を使用して、地球局２０ａ、２０ｂと通信すること又は衛星３０、４０と直接通信することができる。圧縮及び／又は暗号化能力を含んでも含まなくともよく、地球局２０ａ、２０ｂに、衛星３０、４０上に及び／又は他の任意の場所若しくは他の任意のコンポーネントの一部にあるデータ管理システム。通信は、ＲＦ通信でも、いかなるタイプの電磁通信でも、複数の電磁通信タイプのいかなる組合せでもあり得る。地球局通信衛星３０ａは、情報を格納するための信号伝達を実装する衛星グループ又は衛星群４０ａにこの情報を中継することができる。しかしながら、いくつかの実施形態によれば、いくつかの実装形態における地球局２０ａは、電磁信号衛星グループ４０ａと直接通信する。
【０１０６】
電磁信号衛星グループ４０ａは、データの符号化又は格納を行うために、データを伝達する光ビーム又は他の電磁信号を互いに渡し合う。４つで構成されるグループとして示されているが、電磁信号衛星グループ４０ａは、２つ以上の衛星、１つの衛星と反射器衛星（反射器が衛星上若しくは他の場所に位置付けられる）、又は、複数の反射器を含み得る。いくつかの実施形態によれば、１つ（又は複数の衛星）と、月、地球又は他の任意の場所に位置付けられた反射器とを使用することも、月、地球若しくは他の天体上又はそれらの大気、表面若しくは他の部分を反射器として使用することもできる。衛星３０、４０は、ＬＥＯ、ＭＥＯ、ＧＥＯ、ラグランジュ点又は他の軌道若しくは位置に位置付けることができる。衛星４０は、反射性表面を有し得、反射性表面は、信号を反射して伝送側の衛星に返し、次いで、伝送側の衛星は、同じ衛星に信号を送り返すか、又は、第３の衛星、第４の衛星などに信号を伝送し、第１の衛星に返る再循環データループを作成することができる。また、衛星グループ４０ａの第１の衛星は、グループの第２の衛星に信号を伝送することができ、グループの第２の衛星は、信号を受信し、次いで、信号を反射する代わりに、信号を再生してグループの第１の衛星に送り返すか又は別の衛星に伝送するために、１つ又は複数のアンテナ又は他のレセプタを有する。信号は、以下で説明されるように、コーナーキューブなどの反射表面によって反射される場合又は反射として導波路を通じて伝播される場合であっても、連続動作中又は移動中であると考えることができる。信号は、信号を反射することによって及び／又は信号を方向転換する他の何らかの方法（伝送若しくは再伝送）によって或いは増幅と反射の組合せによって返送することができる。
【０１０７】
衛星４０は、宇宙に配備された簡単で比較的安価なデバイスであり得る、コーナーキューブ、反射器又は電磁通信受信機／送信機（別の衛星上、地球上若しくは月上の又は他の任意の位置のものであり得る）にビームを当てることができる。このように、１つ又は複数の受信機衛星、コーナーキューブ又は他の反射器にデータを伝送する衛星である衛星４０を提供することができる。反射器は、本明細書で使用される場合は、鏡、ブラッグ反射器又は同様の反射性表面など、技術的且つ物理的意味で放射線を反射するデバイスのみならず、ビームの伝播をリバース又はステアリングするという実質的に同様の機能を実行するシステム又はデバイスも含み、これらに限定されないが、２つ以上の鏡又は反射性表面で構成されるシステム、１つ又は複数のレンズで構成されるシステム、伝播をステアリングする導波路及びファイバ、並びに、放射線を吸収すると同時に、逆方向に伝播する同一の又はほぼ同一のプロパティ及び特性を有する新しい放射線を生み出す位相共役鏡を含む。コーナーキューブは、コーナーキューブに衝突した光が反射して送信源に向けて返ってくるように位置付け及びサイズ指定された反射表面を有し得る。そのような反射デバイス又はシステムはいずれも、前述の一般性を失うことなく、問題の放射線を「反射する」ということができる。例えば、衛星は、大規模なデータ（格納）能力を達成するために、多重ループ又は伝送メッシュネットワークを確立することによって、多くの受信機衛星又はコーナーキューブに異なる信号を伝送することができる。衛星４０と、第２のノードを形成するその対極にあるデバイス（又は他の反射器）とは、数万キロメートル隔てて位置付けることができる。例えば、１０，０００ｋｍ若しくは８０，０００ｋｍ程度の距離又は他の任意の距離を使用することができる。
【０１０８】
伝送側の衛星の対極にある衛星４０は、データを受信し、次いで、発信源の衛星にデータを送り返すことができる。このことは、当業者に知られているであろう多くの異なる方法で実行することができる。一例は、光を検出し、電気に変換し、次いで、電子回路及び別のセットのレーザ又は他の光源を使用して発信源の衛星に送り返すことである。別の手法は、開口及び空間モード変換器を使用して光信号を回復し、伝送損失を補償するために光増幅器を使用してデータ信号を増幅し、次いで、発信源の衛星に送り返すためにデータ信号を変換して異なる空間モードに戻すことであり得る。これは、以下で論じられるように、例えば１Ｒ増幅ステーションを使用した、光再送信機と見なすことができる。
【０１０９】
或いは、伝送側の衛星からのビームを反射する受信ノードは、単独で位置付けられるか又は受信側の衛星の近くに位置付けられたコーナーキューブ（若しくは他の反射器）であり得るか又はコーナーキューブを使用することができる。従って、ビームを受信する衛星として本明細書で所々で説明され、図面に示されているが、受信ノードは、例えばコーナーキューブなどの、反射性表面でも、他の反射性デバイスでもあり得る。また、そのような反射性デバイスは、トランシーバを含み得、トランシーバは、反射性デバイスの位置及び／又は配向を制御側の衛星、各ステーション又は他のノードに伝え、動作のための命令（位置を移動するため、配向を変更するため、動作を開始するための命令及び同様のものを含む）を制御側の衛星、各ステーション又は他のノードから受信する。
【０１１０】
コーナーキューブの断面は、コーナーキューブに衝突した光が反射して送信源に向けて返ってくるようにサイズ指定することができる。コーナーキューブの表現は、図９に示される。光は、コーナーキューブに衝突し、複数回バウンドし、次いで、光の発信源である正確な所に向けて返送される。返送される光は、角度のデルタ関数であり得る。回折限界によって制限されるビームのビーム幅は、以下で提供される方程式（４）で指定される。平坦な表面からのランバート散乱は、余弦パターンで反射される。
【０１１１】
コーナーキューブは、２つの平面が交わり、単なる１次元で集光する二面体であり得る。或いは、コーナーキューブは、２次元で集光する三面体であり得る。三面体のコーナーキューブは、以下のような断面を有する。
【数１】
2019513331.tif 000003
ただし、ａは、コーナーキューブの直径であり、λは、光の波長であり、コーナーキューブは、典型的なコーナーキューブの妥当な近似値である反射率が１の完全な鏡を備えることが想定される。この反射率が１の完全な鏡は、照光エリアの３〜２０％又はそれ以上であり得る表面反射率を有する反射エリアと比較される。平坦な表面の断面は、通常、
【数２】
2019513331.tif 000004
として指定される。
ただし、ρは、表面反射率であり、Ａは、照光エリアである。対等のアンテナ利得は、方程式（１）の断面の比率を方程式（２）の断面に取り入れることによって推定することができる。コーナーキューブは、例えば、コーナーキューブに対する表面反射率ρを１に近似させることができるように、高反射性の表面を使用して作ることができる。
【０１１２】
コーナーキューブ又は他の反射性表面から信号が返送され次第、発信源の衛星は、ビームを再生して同じコーナーキューブ又は異なるコーナーキューブに送ることができる。各衛星は、多くの電磁信号生成器又は潜在的には数百の電磁信号生成器を有することができ、各々は、データビームを生成する。データビームを生成することは、電磁搬送波を生成すること、信号を変調すること、信号を増幅すること、信号を多重化すること、信号を伝送すること又は前述の組合せを含み得る。
【０１１３】
地球局２０ａ、ｂに伝送される信号及び地球局２０ａ、ｂから衛星に伝送される信号は、データのセキュリティを保証するために暗号化することができる。例えば、高度暗号化規格（ＡＥＳ：Ａｄｖａｎｃｅｄ  Ｅｎｃｒｙｐｔｉｏｎ  Ｓｔａｎｄａｒｄ、ラインダール（Ｒｉｊｎｄａｅｌ）として知られている場合がある）又はＭＤ５メッセージダイジェストアルゴリズム若しくはより新しいＳＨＡ−２（Ｓｅｃｕｒｅ  Ｈａｓｈ  Ａｌｇｏｒｉｔｈｍ  ２）などのハッシュ関数を含む、様々な暗号化技法を使用することができる。分散格納及び分散処理のためのＡｐａｃｈｅ  Ｈａｄｏｏｐを含む、データを管理するための様々な手法が企図される。図２に示されるように、地球局２０は、例えば、ＴＣＰ／ＩＰなどの様々な通信プロトコルを使用して、並びに、セルラネットワークを含む電話システムなどのありとあらゆる通信ネットワーク又は手段を使用して、或いは、任意の無線又は有線通信システム又はプロトコルを使用して、遠隔の地球上のノードと通信することができる。
【０１１４】
長期間にわたって同じデータを維持するため、通信ループの両極端において必要に応じて振幅増幅するためのデータを伝達する信号の振幅増幅が必要とされ得る。しかしながら、時間と共に、雑音が増大する。受信信号は、増幅する一方で、誤りが生じたかどうかの判断において使用するように増幅信号のごく一部を差し向けることができる。
【０１１５】
必要に応じて、長期間の間破損していないデータを維持するため、例えば、周期的にチェックすることができる誤り訂正符号によって、破損データを交換するための誤り検出及び訂正手法を使用することができる。上記の図１８及び図１９は、基本的な概念を示す。
【０１１６】
光は、あるレーザ（仮に言えば、レーザＡ）から受信機Ｂに伝送することができる。ＯＡＭ変調／多重化が採用される場合は、増幅の前に光を復調する必要があり得る。光が増幅された時点で、信号の一部分を切り離し、その誤りを検査することができる。標準的な誤り検出及び訂正スキームを使用することができる。次いで、この往復又は後続の往復のいずれかにおいて破損データを交換することができる。
【０１１７】
既存のデータに対する更新が受信されるたびに、衛星に命令を伝送することができ、衛星（又は複数の衛星）は、信号受信機を使用して、例えば、周期的３Ｒ再生の目的で若しくは他の何らかのポイントで自動的に受信されたデータをモニタすることによって又は他の何らかの手段によって、関連データファイルに対する電磁信号ビームを探索することができる。従って、各情報片には、例えば、電磁信号データストリームに挿入する前に、ヘッダ又はフッタとして使用することができるファイル番号又は別の指定子を割り当てることができる。再生のために電気信号に変換する時の電磁信号データストリームは、適切なファイル番号、他の何らかの指定子又は各データブロックに対する指定を共に提供する情報セットに対するモニタリングが行われる。また、電磁信号再生の時に新しいデータをデータストリームに追加することもできる。従って、地球局２０ａ、ｂは、格納システムの顧客又はユーザと関連付けられた広範なデータ記録にファイル番号又は他の何らかの指定子を割り当てることができる。ユーザから受信された情報の変更又は更新を求める要求が受信され次第、地球局２０ａ、ｂは、変更又は更新を反映させるために、そのファイル番号と関連付けられたデータ記録を書き直すように指示することができる。例えば、地球局２０ａ、ｂは、ファイル番号と関連付けられたデータ記録の全て（要求ユーザに対するデータ記録の全てであり得る）を地球局２０ａ、ｂに伝送するように通信衛星グループに指示することができ、地球局２０ａ、ｂは、ファイルのデータ記録に対する変更又は更新を行い、次いで、変更又は更新済みのファイルを通信衛星グループに伝送することができる。その代替として、通信信号衛星グループの１つ又は複数のマスタ衛星は、ファイル番号と共に、変更又は更新要求を受信し、ファイル番号と関連付けられたデータ記録の変更又は更新を実行することができる。
【０１１８】
データを伝達するため、様々なタイプの電磁信号生成器及び様々なタイプの電磁放射線を使用することができる。同じ衛星が複数のタイプの電磁信号生成器を有する場合もあり、高データ速度で符号化するために多くのタイプの変調が使用される。例えば、レーザ生成器の一部として、半導体を使用したダイオード電磁信号生成器を使用することができる。
【０１１９】
電磁信号生成器及びシステムの他のコンポーネント並びに衛星３０、４０への給電のための電気は、衛星上又は衛星近くに位置付けられた太陽電池パネルから得ることができる。しかしながら、ソーラーパワーに加えて又はその代わりに、原子力発電、燃料発電若しくは化学発電、バッテリ電力、キャパシタベースの充電、他のソーラーパワー源及び同様のもの又は前述の組合せを含む、他の発電源を使用することができる。
【０１２０】
伝送される各ビームは、異なる色又は波長の電磁信号を使用する多くの異なるチャネルを含み得、多くの異なるチャネルは、光回折格子を含む複数の方法によって区別することができる。これは、波長分割多重化（ＷＤＭ）又は周波数分割多重化として知られている。例えば、いくつかの事例では、１６０もの数の又はそれ以上のそのような異なる波長チャネルを定義することができる。他のタイプの電磁放射線の場合、例えば、無線電信搬送波に対して、類似した周波数分割多重化を使用することができる。
【０１２１】
それに加えて又はその代替として、異なる偏波の電磁信号を使用することによって（すなわち、異なる向きに光を「回転させる」ことによって）、異なるチャネルのデータを作成することができる。他のチャネル多重化スキームは、空間分割多重化を含み、その部分集合は、各々が直交する又はほぼ直交する空間モードである多重ビームの多重化である。この例は、軌道角運動量である。空間モード及び偏波は、組み合わせて、伝送されているデータの総量を増加できることに留意されたい。上記で言及したように、空間（例えば、軌道角運動量）、偏波及び波長多重化並びに高次キーイング（ＱＰＳＫ又はＱＡＭなど）などの方法は、伝送データ量を拡大することができ、従って、伝送中のデータを格納する場合の利用可能な格納スペースを拡大する。
【０１２２】
図１、３〜８に示されるように、冗長地球局２０ｂ、冗長地球局通信衛星３０ｂ及び冗長電磁信号衛星グループ４０ｂを提供することもできる。冗長システムは、壊滅的な故障の事例において、全てのデータのバックアップを提供することができる。それに従って、冗長システムは、通信衛星グループ３０ａとして、同一の又はほぼ同一の情報又はデータを格納することができる。その代替として、地球局２０ｂ、地球局通信衛星３０ｂ及び第２の電磁信号衛星グループ４０ｂは、電磁信号衛星グループ４０ａとは異なる情報を格納することができる。その代替として又はそれに加えて、冗長データ「格納」は、複数の受信ノードへの及び／又は複数の時刻における（マルチキャスティングと同様）同じビームの伝送を同じ衛星又は衛星グループに行わせることによって達成することができる。すなわち、情報の冗長及び障害回復を提供するために、各衛星は、情報を具体化する第１の電磁信号を第１の対象（第２の衛星又は反射構造若しくは表面など）に伝送し、同じ情報を具体化する第２の電磁信号を第２の対象（第２の衛星又は反射構造若しくは表面など）に伝送することができる。
【０１２３】
電磁信号生成のための開口は、伝送側の衛星とビームが伝送される反射器との間の距離、ビームの波長及び他の因子に応じて、必要に応じて設定することができる。
【０１２４】
受信端末が位置するスポットのサイズは、以下で記述されるように計算することができる。
【０１２５】
以下の論考は、レーザの文脈における本開示の態様を説明するが、他のタイプの電磁信号を使用することもできる。レーザビームは、ある端末又はノードから放出され、第２の端末又はノードに進む。ビーム幅の特徴付けに関しては、多くの異なる約束事がある。以下の方程式は、広がり角θに対して使用することができる。
【数３】
2019513331.tif 000005
ただし、λは、波長であり、Ｄは、伝送側の開口の直径である。回折限界のこの近似定式化の場合、θは、半値全幅のビーム幅であり得る。レーザ通信は、狭ビームにより、長距離通信を可能にすることができる。例えば、１０ＧＨｚ周波数ビームと２００ＴＨｚ周波数ビーム（１．５ミクロン波長）とを比較すると、ビーム幅は、ＲＦビームの方が２０，０００倍広い。変数ｄは、所定の距離Ｒにおけるビームスポットの直径として定義することができる。その事例では、以下の通りである。
【数４】
2019513331.tif 000006
【０１２６】
所定の光子のエネルギーは、
【数５】
2019513331.tif 000007
によって与えられる。
ただし、ｈは、プランク定数であり、ｖは、周波数である。レーザ通信端末によって受信されるエネルギーは、
【数６】
2019513331.tif 000008
によって与えられる。
ただし、Ａｒは、受信開口のエリアであり、Ａｉｌｌｕｍは、照光されているエリアである。受信開口と同じ直径の伝送開口は、以前の方程式に従って
【数７】
2019513331.tif 000009
のように得られる。
ただし、Ｎは、受信された光子の数である。特定の検出器がどれほど感度の高いものであるかに応じて、数字を選ぶことができる。この方程式を逆に解くと、
【数８】
2019513331.tif 000010
を得ることができる。
【０１２７】
レーザが出力する電力の必要な量の問題に移り、Ｂビット毎秒（データ速度と呼ぶことができる）の伝送を想定する。各ビットは、エネルギーの量Ｅｔを必要とする。従って、レーザ電力は、ＥｔとＢの積である。
【数９】
2019513331.tif 000011
を定義することができる。
【０１２８】
これより、
【数１０】
2019513331.tif 000012
が得られる。
【０１２９】
伝送及び受信用のレーザ開口直径に対してこの方程式（８）を使用すると、他の値は、多かれ少なかれ最適な直径を決定するために選ぶことができる。モノスタティックシステム又は伝送及び受信用の少なくとも同じ開口直径を想定すると、例として、表１のように、いくつかの値に到達する。表１は、１つの基本的な想定集合に対する単なる例であり、開口サイズ及びビーム拡散は、これらに限定されないが、使用される波長、ビーム及び開口サイズ、使用されるモード並びに伝送距離を含む複数のパラメータに基づいて異なる。
【０１３０】
【表１】
2019513331.tif 000013
【０１３１】
さらなる例示として、１０，０００ｋｍの距離を使用することも、＜１０，０００ｋｍ、１０，０００〜８０，０００ｋｍ又は＞８０，０００ｋｍなどの他の何らかの距離を使用することもできる。
【０１３２】
この想定集合の場合、約１０ｃｍの直径又は上記で指定される値の範囲の直径の開口を使用することができる。しかしながら、より小さな開口やより大きな開口も企図される。平均電力が１０ワット程度のレーザは、上記で提供されるいくつかの値の文脈における伝送のために使用することができるが、これらの値は、ある特定の例の桁数を示すための単なる例示として提供される。これは大規模なトレード空間であり、従って、他の想定が可能である。異なる距離は勿論、より大きな及びより小さな開口、より大きな及びより小さな電力のレーザを使用することができる。各ビーム又は伝送は、伝送側の衛星と受信ノードとの間の距離と同じでも、その距離より短くとも長くともよい。
【０１３３】
ユーザは、地球局２０ａ、ｂにアクセスすることによってデータを格納又は回収することを希望する場合がある。例えば、ユーザが地球局２０ａ、ｂにアクセスするためにインターネット接続又は他の手段を使用することも、ユーザが衛星に直接アクセスし、次いで、衛星がデータ管理システム（地球局にも、衛星上にも、他の任意の場所又は他の任意のコンポーネントの一部にもあり得る）と通信することもできる。地球局２０ａ、ｂは、適切なユーザ又は組織のグループに通信をルーティングするため、攻撃及びハッキングを防ぐためのセキュリティを提供するための多くのコンポーネントと、アップロード又はダウンロードされているユーザ情報を一時的に格納するバッファと、データ管理システムとを有し得る。
【０１３４】
地球局２０ａ、ｂは、電磁信号トランシーバを使用して（例えば、ＲＦ信号伝達を使用して）衛星と通信する。地球局にアクセスする場合、ユーザは、ＤＭＳ又はセキュリティシステムによって、身分証明及びパスワード又は同様のもの或いは別の方法で検証されるものを含む認証情報を照会される。ＤＭＳ（データ管理システム）は、将来のアクセス要件のために、衛星が保有する「格納装置」から情報を回収するために、請求処理のために、セキュリティ上の理由で及び同様の理由で、データ及びその所有者又は伝送ユーザにタグ付けすることができる。次いで、地球局通信衛星を使用して、データは、衛星間での「移動中の」格納のために電磁信号衛星に移動される。論じられるように、本開示の態様によれば、地球局２０ａ、ｂが１つ又は複数の電磁信号衛星と直接通信できるように、地球局通信衛星を省略することができる。ユーザによって要求され次第、地球局を使用して、以前に格納された情報へのアクセスが行われる。データ管理システム又は地球局の他のありとあらゆるコンポーネントは、地球局にも、衛星にも若しくは衛星上にも、他の任意の場所又は他の任意のコンポーネントの一部にもあり得る。
【０１３５】
従って、本開示の態様によれば、データは、信号増幅も時折必要としながら、透過及び反射される連続動作中の状態で維持することによって「格納する」ことができる。本開示の態様によれば、各往復における又は各ノード通過における信号の選択された部分の信号再生は、データを伝達する電磁ビームの要件により、必要に応じてのみ必要とされ得る。衛星間又は他の伝送ノード間の距離が等しい場合は、ビーム容量は、
ＢＣ＝（ＢＢＲ＊Ｄ＊Ｎ）／Ｃ
ＢＣ＝ビーム容量（ビット）
ＢＢＲ＝ビームビットレート（ｂｐｓ：ビット毎秒）
Ｎ＝ビーム経路の衛星（又はノード）間のホップ数
Ｄ＝ビーム経路の衛星（又はノード）間の距離
Ｃ＝光の速度（ｋｍ／ｓｅｃ）
と表現することができる。衛星間又はノード間の距離が等しくない場合は、
ＢＣ＝（ＢＢＲ＊ΣＤ）／Ｃ
である。ただし、ΣＤは、ビーム経路の全ての距離の総和を示す。
例えば、衛星がコーナーキューブなどの反射ノードにビームを伝送し、反射ノードがビームを反射して衛星に返し、衛星がビームを受信して再生しなければならない実施形態では、ΣＤは、衛星とコーナーキューブとの間の距離のちょうど２倍の距離に、コーナーキューブ内で進んだ距離（上記で記述される方程式の目的では無視することができる）を加えたものである。
【０１３６】
例えば、パブリックデータネットワークを使用することができる。検証及びセキュリティのために、認証及び承認サブシステムを提供することができる。次いで、要求されたデータは、衛星グループから地球局通信衛星３０ａ、ｂを通じて地球局２０ａ、ｂに得られるか又は回収され、パブリックデータネットワークを通じてＤＭＳ設備及び顧客に返される。また、地球局２０ａ、ｂにアクセスするために、ローカルエリアネットワーク（ＬＡＮ）又は同様のものを使用することもできる。
【０１３７】
本明細書では所々で衛星ベースの実施形態を参照して説明されているが、そのような電磁信号格納システムは、例えば、既存の光ファイバネットワーク、新しい光ファイバネットワーク、データラック、ライトアップダークファイバを利用して、海に、水面下に、空中に、陸上に、地下に配備すること、並びに、前述の組合せを使用して地球上又は宇宙空間において及び構造上に配備することもできる。例えば、海上の船、輸送船又は他の可動プラットフォーム若しくは定常構造は、例えば、図１７に示されるように、そのような電磁信号を行ったり来たりさせることができる。別の例として、陸上の乗り物又は定常構造、ファイバネットワーク、ダークファイバ、ネットワークの空中電磁信号システムは、電磁信号を伝送することができる。航空機ベースの実装形態の例は、図１４〜１６に示される。航空機、小型飛行船、熱気球、通信塔、ドローン又は前述の組合せなどの空中輸送船を使用した通信の追加の構成（電磁信号用の送信機、受信機及び反射器でもあり得る）は、図１４〜１６に示される。或いは、前述の輸送船、乗り物及び構造の組合せを使用することができる。
【０１３８】
図２９は、波分割多重化（ＷＤＭ）、空間分割多重化（ＳＤＭ）、偏波分割多重化（ＰＤＭ）及び方向分割多重化（ＤＤＭ）を使用した自由空間ループを使用した格納システム９９ｄの例である。衛星６５などの第１の輸送船は、第２の輸送船６６との通信範囲に位置付けられる。光ビーム６７又は他の何らかのタイプの電磁放射線は、Ｌ×ｎ×４個のチャネルを内包する自由空間を通じて伝播することができ、各チャネルは、空間モード、偏波、伝播方向及び波長の独特の組合せを有する。自由空間を伝播するものとして論じられているが、電磁信号は、大気（地球の大気若しくは別の惑星の大気など）を通じて、真空を通じて、空間を通じて及び／又は他の媒質（水など）を通じて、その全体又は一部を渡すことができる。次いで、信号６７は、第２の輸送船６６から第１の輸送船６５に返送される。また、広範な波長に対して波長λｉの光を生成するための光源１−ｉや、ｎ個の信号源の各々をＬ＊４個の別個のチャネル（各空間モード、偏波及び方向の組合せに対して）に分けるビームスプリッタ６９−ｉなど、以前の実施形態で説明されているシステムの他のコンポーネントを含めることもできる。例えば、光ファイバスプリッタ又はいくつかの溶融ファイバカプラを使用することができる。例えば図２３に示される、変調器１１３−ｉを提供することができ、高周波ドライバ７２−ｉは、電気接続１０を使用して、制御システム８と変調器１１３−ｉのコンポーネントとの間のインタフェースを提供することができる。入力セレクタ７３−ｉは、チャネルのデータを再循環させることも、例えば、光スイッチ又は他の何らかのそのような要素を使用して、新しいデータをチャネルに挿入することもでき、従って、イレイサ１０３として機能することができる。
【０１３９】
入力セレクタ７３−ｉは、使用することができる制御論理によって駆動される電気光学スイッチとして実装することができるが、全て又はいくつかのそのようなスイッチングの代わりに、全光スイッチングが可能である。入力セレクタ７３−ｉは、図２１のカプラ１０１と同様に、入力／出力カプラとして機能するために、スプリッタ８７−ｉと協調して稼働する。コリメータ７４−ｉは、光ファイバ９０から発散する光を平行にし、平行移動段階において非球面レンズを使用して実装することができる。変換器７５−ｉは、空間モード間で光を変換する。このように、ｎ個の光源の各々から現れるＬ個のビームの各々には、異なる空間モード又は空間モードと偏波の組合せを与えることができる。このことは、２つの直線偏波子及び１つの空間光変調器（ＳＬＭ）（光ビームを異なる空間モードに変換するために空間的に変動する位相を追加する）を使用して実装することができる。
【０１４０】
マルチプレクサ１１６は、４Ｌｎ個の空間ビームの各々の伝播軸を相互に位置合せするために、自由空間多重化を提供することができ、各ビームは、波長、空間次数、伝播の方向及び偏波の独特の組合せを有する。このことは、例えば、ｌｏｇ２（Ｌ×ｎ×４）偏光ビームスプリッタによって、次いで、
【数１１】
2019513331.tif 000014
半波長板及びｌｏｇ２（Ｌ×ｎ×４）２ステアリングミラーによって、埋め込むことができる。また、入力／出力セパレータ７７は、ビームスプリッタ又は低損失実装デバイスでもあり得る。光アイソレータ７８は、入力及び出力チャネルを各伝播方向に分離し、ガリレオ式望遠鏡７９は、拡大して、ビームを平行にすること及び／又はビームを再集光することによって、ビームサイズを制御するために提供することができる。ビームステアリング８０は、ビームを第２の輸送船（具体的には、第２の輸送船上の反射デバイス又は表面８１）に指向するために提供することができる。このことは、例えば、制御システム８を使用して圧電素子を使用して最適化することができる２つのステアリングミラーによって遂行することができるか、又は、コーナーキューブを提供することができる。反射器８１は、光ビームを第１の輸送船６５に返送することができる。三面体のコーナーキューブを使用することができるが、その代わりに、放物面鏡及び／又はビームを第１の輸送船６５に指向するポインタを使用することもできる。
【０１４１】
自由空間デマルチプレクサ１１８Ａは、各ビームをｎ個のビームに逆多重化するように位置付けることができ、ビームごとに全く異なる波長を１つずつ有する。このことは、ブレーズド回折格子又は他の何らかのタイプの同様のデバイスを使用して実装することができる。さらなる自由空間デマルチプレクサ１１８Ｂは、これらの２＊ｎ個のビームをオリジナルの電力の１／２Ｌ倍の２＊Ｌ個のビームに逆多重化するように位置付けることができる。この自由空間デマルチプレクサは、ｌｏｇ２２Ｌ偏光ビームスプリッタ、
【数１２】
2019513331.tif 000015
半波長板及びｌｏｇ２２Ｌ２ステアリングミラーとして実装することができる。変換器８４−ｉは、選択的に選ばれた空間モードと偏波の組合せを基本空間モード（すなわち、ガウスビーム）に変換するように位置付けることができる。このことは、半波長板及びＳＬＭを使用して実装することができ、その空間パターンは、復調すべきモードとは正反対の方位変動と、正しい空間モードの電力を凝縮するためのフレネルレンズの両方を含む。方位変動がこのＳＬＭのパターンとは正反対のモードに加えて、空間モードは、フレネルレンズによって強く集光することが難しい場合があるが、その理由は、それらの中心における相殺的干渉のためである。
【０１４２】
自由空間ビームを結合して光ファイバ９０に入れるため、カプラ８５−ｉを提供することができる。このことは、平行移動段階において非球面レンズを使用して遂行することができる。このように、ファイバは、その方位角パターンが空間モード変換器８４−ｉのパターンとは正反対のこのチャネルに対する空間モードを効率的に結合することによって、空間フィルタとして使用することができる。図２６では、例として、１Ｒ再生器１０２−ｉが示されているが、この自由空間の実装形態では、使用される波長、空間モード、方向及び偏波多重化に適合するいかなる増幅器又は増幅器の組合せも使用することができる。スプリッタ８７−ｉは、誘導波を実質的に同一の信号に分ける。このスプリッタ８７−ｉの出力は、信号を再循環させるために、受信機又は復調システム８８−ｉ（フォトダイオード若しくはコヒーレント光受信機など）及び入力セレクタ７３−ｉに伝送することができる。フォトダイオード又は他の何らかのそのようなデバイスは、適切に選択された各波長に対して使用することができる。制御システム８は、例えば、ディジタル論理、ソフトウェア、ＦＰＧＡ又は前述の組合せとして実装することができるシステムの要素の制御を提供する。制御システム８の他の任意の適切な実装形態も使用することができる。
【０１４３】
本開示の別の態様によれば、二段階増幅を実行するため、デマルチプレクサ、ＳＬＭ、信号カプラ、ファイバ増幅器及びマルチプレクサを輸送船２に提供することができる。別の実施形態では、両方の輸送船に対して完全な３Ｒ再生を実行するため、制御論理、受信機及び送信機を伴う完全なデジタルシステムを輸送船２に提供することができる。
【０１４４】
追加の変形形態は、２つを超える輸送船を配備すること及び／又は３つ以上の輸送船間で信号を渡し合うことを含み得、単に１つのコーナーキューブ若しくは反射表面の代わりに指向方法を使用して及び／又は又は伝送信号受信のための異なる望遠鏡を使用して（他の機能に加えて可変焦点距離を有するレンズとしてＳＬＭの一方又は両方を使用することを含む）、４つ又は任意の数の輸送船が再循環ループを形成することができる。第１の輸送船及び第２の輸送船として説明されており、衛星、航空機、熱気球、ドローン、船、静止海洋構造物（オイルリグ及びブイなど）並びに同様のものを参照して所々で説明されているが、第２の輸送船は、実際には、惑星若しくは月、惑星の大気又はその中で自然に起こる媒質などの自然物体でも、既存の衛星又は同様のものなどの既存の人工建造物の表面でもあり得る。また、２つの輸送船として説明されているが、輸送船は、地球上のデータセンタ又は同様のもの及び自由空間におけるノードであっても、コンピュータ及び他の電気コンポーネントを備えるラックマウント方式のシステム上において、ラックマウント方式のシステムで又はラックマウント方式のシステムと併せてなど、データセンタに提供することができる導波路の実装形態を使用してもよい。
【０１４５】
別の実施形態では、格納装置は、ラックにあり得る。この事例では、送信及び受信機器は、ラックに或いは他の任意の機械、媒体及び／又は適切な構造に配置され、光ファイバ又は他の任意の適切な伝送媒質は、前記送信及び受信機器に接続される（例えば、光導波路）。増幅器、データ管理システム、暗号化システム及び／又は圧縮システムを含めることができる。好ましい実施形態では、光ファイバのループには、例えば光カプラを介して、互いに接続される光ファイバの両端部を提供することができる。この事例では、データを伝達するレーザ、メーザ又は他の光信号は、再循環ループ内に伝送し、その後、ループを通じて往復することができ、その結果、ループ内で、レーザビーム、メーザビーム又は他の光信号の形態で移動中にデータが格納される。
【０１４６】
図２０は、変調を介してデータが符号化され、光ループ１００を通じて進む、レーザ、メーザ、光ビーム又は他の光信号（ＵＶ及びＩＲ信号を含む）などの信号の基本的な概念の例を示す。カプラ１０１は、信号の少なくとも一部分を結合して再循環ループ１００に入れ、再循環ループ１００は、上記で論じられるループ状の構成で、光ファイバなどの導波路によって形成することができる。信号は、内包される信号の増幅及び損失の均衡を取るために、及び、光ファイバ又は他の任意の光伝送媒質において固有の他の誤り又は分散を補償するために時折再生を行うために、必要に応じてそのような機器をループに組み込むことによって、ループを無限に再循環することができる。次いで、信号の一部は、各往復において、カプラ１０１によって結合してループ外に出される。光ループ１００に対して信号を提供するカプラ１０１は、多くのコンポーネントを含み得る。例えば、光ループ１００に対して信号を提供する入力カプラは、光ループ１００から信号を受信する出力カプラとは異なるコンポーネントであり得、そのようなコンポーネントは、統合することも、互いに隣接して又は遠く離れた所に位置付けることも、光ループ１００の異なる部分に位置付けることもできる。信号は、以下で論じられるように、反時計回りの方向にも（示されるような）、時計回りの方向にも、両方の方向にも循環することができる。
【０１４７】
図２４Ｂに示されるように、光ファイバのスプールは、伝送及び受信ハードウェアを接続する導波路として使用することができ、その結果、伝送及び受信ハードウェアは、同じ設備内に位置付けることも、互いに遠く離れた所に位置付けることもできる。第２のそのような光ファイバベースの構成は、第１の構成に格納されたデータの冗長安全性及びバックアップを提供するために、第１の構成と同じ設備内に位置付けることができる。第２のそのような光ファイバベースの構成は、第１の構成のデータに加えてさらなるデータを格納することも、信号再循環ループを形成するために第１の構成とリンクすることもできる。第２のそのような光ファイバベースの構成は、第１の構成から遠く離れた所に位置付けることも、同じ設備の一部として位置付けることもできる。そのような構成の一方又は両方は、コンピュータラック上又はコンピュータラックで提供することも、それらの構成だけで提供することもできる。また、そのような構成の一方又は両方は、データを格納するユニットの不可欠な一部として組み入れることができる。
【０１４８】
図２１は、本開示の実施形態による、再循環レーザ、メーザ又は他の光信号内のデータを格納するために、連続したループベースの移動中の格納システム９９を再循環しているデータの管理を可能にするための電子制御システムの例示的な実施形態を示す。システム９９に格納されたデータの更新を求める様々な要求（データの書込、読取及び消去のための命令など）は、制御論理１０４によって受信することができる。
【０１４９】
信号カプラ１０１は、入力Ａ、Ｂ及び出力Ｃ、Ｄを有し得る。入力Ｂは、再循環ループ１００から光信号及びデータを受信するが、入力Ａは、システム９９の残りの部分からデータを受信する。同様に、信号カプラ１０１の出力Ｃは、再循環ループ１００に光信号及びデータを挿入するように接続することができるが、出力Ｄは、マルチプレクサ１１８に提供することができ、マルチプレクサ１１８は、信号を多くの別個のチャネル１１９に分離し、データは、ループ１００からのデータを回収するためにデータ取得コンポーネント１２０に伝送される。レーザ信号又は同様のものを含む電磁放射線であり得る光信号の一部は、信号カプラ１０１の入力Ａから、結合されて、信号カプラ１０１の出力Ｄに送られ、その結果、信号及びデータをループ１００に注入することができる。同様に、上記で説明されるように、入力Ｂに入る信号の一部は、出力Ｄへと続いてループ内を再循環する一方で、循環信号の残りの部分は、信号カプラ１０１の出力Ｃを通じて出力することができる。このカプラの結合比は、検出が可能なほど十分な強度を出力信号が有すること、及び、データ損失に至るであろう劣化をもたらすことなく、再循環信号がループを循環し続けることを保証するように選ぶことができる。
【０１５０】
信号振幅増幅器１０２（１Ｒ再生ステーション）は、信号が再循環ループ１００を通じて再循環する際に、信号のピーク強度を制御することができる。信号は、信号振幅増幅器１０２によって、往復損失の均衡を取るように選ばれた利得によって、許容電力レベル内に維持される。２つ以上のそのような信号振幅増幅器は、利得安定性を達成するため、望まない非線形相互作用を防ぐため、又は、振幅増幅器の直後の高強度によるコンポーネントの損傷を防ぐために必要とされ得る。信号が多くの異なる光波長、ファイバモード又は他の分離可能ビームで構成される場合は、ビーム、波長、波長範囲又はモードの各々を適切な増幅器に誘導するために、逆多重化及び多重化のシステムと組み合わせて、波長、波長範囲、モード又はビームの各々に対して、別個の信号増幅器１０２を提供することができる。
【０１５１】
また、図２１には、特定のデータブロックに相当する信号の部分を消去するために、通過する信号の一部分を破壊する損失変調器１０３が示されている。本開示の態様によれば、特定のメモリブロック及びその中で伝達されるデータに相当する信号の明確な部分又はパルスは、損失変調器（「イレイサ」）１０３を使用して再循環ループの損失を変調することによって消去することができ、その結果、遅延生成器１０７によって決定付けられるように、所定の瞬間にループ１００を通過する信号を消去することができる。このように、信号全体を除去することなく、信号の一部分及びその中で伝達されるデータを排除することができる。多重化信号の事例では、３Ｒバッファ１２６などのバッファを使用して、イレイサ１０３を通過した瞬間に消去するつもりであった対象信号チャネルと共に消去された信号チャネルを復元することができる。すなわち、３Ｒバッファ１２６によって提供されたデータに基づいて、遅延生成器１０７によって提供されたタイミングで消去されたデータは全て（消去予定のデータブロックを伝達する信号チャネルを除いて）復元することができる。或いは、イレイサは、デマルチプレクサ、複数の損失変調器及びマルチプレクサを備え得、デマルチプレクサ、複数の損失変調器及びマルチプレクサは、そのビームとタイムスロットを共有する他の全てのビームを消去することなく、信号ビームを消去することができるように構成され、従って、３Ｒバッファを使用して書き直す必要性を避けることができる。データを消去するために損失変調器１０３が提供されているが、他の適切ないかなる消去要素も要望通り使用することができる。
【０１５２】
制御論理１０４は、書込、更新、読取及び／又は消去などの命令や、コンピュータクロック（例えば、例えばチップとして埋め込まれたもの）から又は別のタイプのクロック（原子時計など）からの信号などのクロック信号をシステム９９の外部から受信することができる。次いで、制御論理１０４は、アドレステーブル１０６を使用して、消去、読取又は書込予定のデータブロックに相当する所望の再循環信号又は再循環信号の一部分におけるパルスのタイミングを調べることができる。具体的には、制御論理１０４は、データの所望のブロックの出力を制御するために、イレイサ１０３に、又は、電気接続１２７を介して、遅延パルスなどのタイミング信号を生成するように遅延生成器１０７に信号伝達することができる。電気接続１４５は、要求に応答してシステムの外部に対象データを出力する。従って、制御論理１０４の機能は、アドレス又は名前テーブルなどのテーブル１０６を維持するために電子機器を制御することであり得る。その中に格納された情報は、「書込」などの動作を実行するために（すなわち、受信した要求に応じて、例えば次の利用可能なスロットで又は明確なアドレスで、再循環ループ１００にデータを入れるために）適切にタイミングを合わせた信号を生成するため、遅延生成器１０７に与えることができる。本開示の態様によれば、書込命令は、対象アドレスとタイムスロットを共有する全てのデータブロックを読み取って３Ｒバッファ１２６に入れ、ループ１００内の同じタイムスロットを共有するメモリの全てのブロックを消去し、入力ビットを新しい空のスロットに書き込むことを必要とし得る。次いで、データブロックのチャネルが書込プロセスの間に消去されているため、３Ｒバッファ１２６を使用してデータブロックを書き直すことができる。ただし、イレイサの代替の実装形態は、上記で説明されるように、この最後のステップを避けることができる。
【０１５３】
アドレス指定を介するこのタイミングのプロセスは、遅延パルス又は対等のタイミング方法を様々なデバイスに伝送すべき場合に推測するために、ループを通じるパルスの循環を非常に精密に追跡するという遅延生成器の能力に依存する。このプロセスは、デッドレコニングによって遂行することができる。別の追跡手法は、カルマンフィルタの使用であり、システムの特徴付けに基づくデッドレコニングをシステムにおけるデータの位置の周期的チェックと組み合わせる。そのようなチェック又は再同期化は、システムに格納された特有の再同期化ブロックによって、又はさもなければ、格納されたデータブロックを周期的にポーリングすることによって遂行することができる。別のそのような動作は、「読取」動作であり、その動作は、例えば、信号の一部分のタイミングに従ってアドレステーブル１０６から回収されたアドレスに相当する指定されたデータブロックを読み取ることを必要とし得る。また、ループ１００に格納された全ての情報は、図２１に示される電気接続１２９を介して受信されている除去命令に応答して、１Ｒ再生ステーション１０２を停止させることによって又は例えばイレイサ１０３によってループ損失を変調することによって、永久的に削除することができる。
【０１５４】
アドレステーブル１０６は、データブロックのアドレス指定を、再循環ループ１００を通過するパルスの物理値と関連付けるための情報を格納することもできる。信号は多重化することができ、従って、制御論理１０４は、所定の時刻にループを通過する情報の２つ以上のチャネルの説明をする必要があり得る。例えば、アドレステーブル１０６は、ランダムアクセスメモリ又は他のタイプのメモリとして構成することができる。遅延生成器１０７は、制御論理１０４の一部分であり得るが、ループ１００を通過する信号の正しいパルス又は一部分にアクセスするために制御信号を適切に遅延させるため、ループ１００と相互作用するコンポーネントに遅延制御信号を生成する別個のコンポーネントでもあり得る。或いは、このコンポーネントは、提供されるクロックに合わせるビットタイミングスキームを使用することによって省略することができる。この方法では、全ての動作は、遅延を生成する代わりに、通常のクロックサイクルを使用して実行することができる。
【０１５５】
遅延書込命令における固定遅延１０９は、信号変調器１１３へのループ経路及び信号変調器１１３を通じたループ経路を通じた伝播遅延の差を考慮するように計算することができる。
【０１５６】
信号変調器１１３は、遅延生成器１０７から電気接続１１１を介して一連の遅延電気パルスを入力として受信し、その変調１１５において、例えば、入力信号１１１のパルスと同じタイミングで遅延されたデータを符号化する信号を伝達する図２１には示されていない送信源から提供された光ビームを変調することによって、信号を生成することができる。多重化信号の場合、信号変調器１１３は、各々がデータを異なるチャネルに符号化するように構成された一連の同様のデバイスを備えることも、制御信号１１４に応じてどの信号チャネルを生成するかを制御するように独立して構成することが可能な１つ又は複数のデバイスであることもあり得る。
【０１５７】
入力バッファ１１０は、入力ビット（ループ１００に追加予定の新しいデータ）を読み取り、入力ビットの符号化を待っている間、格納しておき、次いで、ループ１００に入力することができる。遅延生成器１０７からのパルス１０８によってトリガされると、入力バッファ１１０は、電気接続１１１を介して、入力デマルチプレクサ１１２を介して、適切な遅延を有する符号化予定のビットを内包する信号を変調器１１３に送信することができる。入力バッファ１１０は、ＲＡＭなどの従来の電子メモリであり得る。そのような電気信号は、ループ１００内の意図するデータブロックに合わせた適切な時間量だけ遅延された、入力バッファ１１０から入力デマルチプレクサ１１２を介して信号変調器１１３に伝達予定のビットを内包する。
【０１５８】
入力デマルチプレクサ１１２は、制御論理１０４からの制御信号１１４に基づいて、信号変調器１１３によってどのチャネル（すなわち、波長、空間モード、方向など）に遅延入力信号１１１を書き込むかを制御するために提供することができる。入力デマルチプレクサ１１２は、いくつかの実施形態では、信号変調器１１３に組み入れても、完全に欠如していてもよく、完全に欠如している場合は、遅延生成器１０７は、異なる入力チャネルに対する（すなわち、異なる波長、空間モード、方向などに対する）異なる遅延パルス信号１０８を生成する。
【０１５９】
入力マルチプレクサ１１６は、１つ又は複数の異なるチャネル（すなわち、波長、空間モード、方向など）からの信号１１５を結合して、信号カプラ１０１に進むビーム１１７にする。図２１に示される例では、一度にたった１つの信号しか多重化できないが、本開示の態様によれば、多くの入力信号を同時に及び／又は非同期的に多重化して信号カプラ１０１に送ることができる。次いで、信号カプラ１０１は、その変調において符号化された情報を伝達する信号の部分をループ１００に注入する。本開示の態様によれば、ループ１００に格納することができるデータの量を増加するために、異なる方法（これらに限定されないが、異なる波長、空間モード、方向などを含む）で信号を伝達する複数の独立したチャネルを同じ時刻にループ１００に注入することができる。
【０１６０】
出力デマルチプレクサ１１８は、信号カプラ１０１の出力Ｃから出力された信号を受信し、異なる物理的属性（これらに限定されないが、波長、空間モード及び方向などを含む）によって分離されるように、各チャネルを別個の信号に分割する。
【０１６１】
データ取得（ＤＡＱ）１２０は、出力デマルチプレクサ１１８からファイバ１１９を通じて信号を受信することができ、光の変調で符号化された情報を電気信号で符号化されるディジタル情報に復調することができる。ＤＡＱ  １２０は、フォトダイオードなどの物理的な光検出器と、遅延生成器１０７によって生成された一連の遅延パルス１２１によってそのタイミングを決定することができるサンプリングアナログ／ディジタル変換器（ＡＤＣ）とを含み得る。ＤＡＱ  １２０を使用することで、ループ１００からディジタル情報フォーマットでメモリの１つ又は複数の明確なブロックを読み出すことができる。要望通りデータを復調するために、適切ないかなるデバイス又は要素も使用することができる。
【０１６２】
ＤＡＱ  １２０は、逆多重化信号１１９の各チャネルを復号するために、一連の異なるＤＡＱシステムとして提供することができ、その場合、遅延生成器１０７から受信される遅延パルス信号１２１は、対応する数の異なるデータラインを介して受信することができる。或いは、ＤＡＱ  １２０は、信号ＤＡＱシステムを構成可能な出力デマルチプレクサ１１８と組み合わせた信号システムであり得、制御論理１０４又は遅延生成器１０７からの制御信号によって制御される。具体的には、電気接続１２１を介して受信された遅延電気パルスは、特定のメモリブロックのデータの読取をトリガする。これらのパルスは、所望のデータを捕捉するためにＤＡＱ  １２０が信号をサンプリングすべき時点に対応する。ＤＡＱ  １２０の実装形態に応じて、電極１２１は、ＤＡＱの各々に接続するバス又は単一のライン（例えば、出力デマルチプレクサ１１９によってチャネル選択が実行されている場合）であり得る。
【０１６３】
このように、ライン１２２は、誤りを訂正するために受信されたデータのデータ完全性をチェックする巡回冗長検査（ＣＲＣ）又は対等の誤り訂正符号若しくは順方向誤り訂正方法を実行する論理及び／又はソフトウェア１２３に、ディジタル電気信号で符号化されたデータを供給する。
【０１６４】
非同期的な再生管理は、信号全体に対して信号の完全な再生（３Ｒ）が同じ時刻に実行されないように提供することができる。代わりに、非同期的な再生管理によれば、プロセスは、図２１に示される制御論理１０４の遅延生成器１０７を使用してずらすことができる。３Ｒ再生は、信号全体が光ファイバを通過するのに要する時間より長い時間を要するため、このことは、論じられるように、必要であり得る。
【０１６５】
例えば、非同期的な再生のためのアルゴリズムは、必要なサブコンポーネントの利用可能性に基づいて再生動作をスケジューリングする信号スケジューリングスレッドと、スケジューリングされた再生タスクを実行すべき場合に遅延生成器１０７に信号伝達する別個の動作スレッドとを使用することができる。スケジューリングスレッドは、最も長い間再生されていないデータブロックの再生を次の利用可能な機会にスケジューリングし、次いで、次に最も長い間再生されていないデータブロックの再生のスケジューリングに進むなど、以下同様である。全てのコンポーネントが利用可能である場合（例えば、現在、再生、書込又は消去動作がスケジューリングされていないため）は、次のそのような機会は、問題のデータブロックがカプラ１０１を次に通過した場合に受信ステップを実行することに続いて、データブロックがイレイサ１０３を次に通過した場合にデータブロックの消去を実行し、次いで、新しい空のタイムスロットが次に通過した場合に到達するように３Ｒバッファ１２６に格納されたデータの再伝送を実行するためのものであり得る。この最終的なステップは、各通過に合わせて複数のステップに細分することができるが、その理由は、例えば、信号変調器１１３はシステムによって格納された多重化チャネルの数より少ない変調器を含むため、又は、特定のチャネルに書き込む変調器は既に別の動作のスケジューリングが行われているためである。従って、スケジューラは、遅延生成器１０７に適切に信号伝達する動作スレッドを用いて、これらのステップをスケジューリングすることになる。
【０１６６】
スケジューリングスレッドが再生をスケジューリングする次のデータブロック（「最も古いデータブロック」）は、スケジューリングされた以前のデータブロックの再生前に、以前のデータブロックの再生と同時に、又は、以前のデータブロックの再生の成功に厳密に続く代わりに、交互に実行される両方のデータブロックの再生のステップで、実行をスケジューリングすることができる。従って、再生管理は、そのような非同期的な方式で実行することができる。また、再生のスケジューリングのための他のアルゴリズムも企図される。様々なリソースのより密度の高い使用は、前述の実行されるスケジューリング順番で動作をスケジューリングする代わりに、より速やかに実行することができる動作を優先することによって得ることができる。そのようなアルゴリズムの一例は、全てのデータブロックを再生するために必要な時間を最小化するためにリソース使用量を最大化するために、非線形フィッティングアルゴリズム（例えば、レベンバーグ-マーカート法）を使用することができる。同様に、並列スケジューリング並びにシングルスレッド組合せスケジューリング及び動作を含む他のスレッド構造を使用することができる。システムにデータを書き込むためのアルゴリズムは、リソース使用量を最適化することに基づいて又は再生時間を最小化することに基づいて、新しいデータを書き込むデータブロックを同様に選択することができる。
【０１６７】
ＣＲＣ  １２３は、３Ｒが実行されているか又は読み取られているデータブロックに対してのみデータ完全性を保証するために巡回冗長検査を実行することができる。従って、システムは、完全性チェックの実行及びデータブロックに相当する信号の部分の生成に十分な時間を有する。ＣＲＣは、データブロックに対して３Ｒが実行されるたびに、この巡回冗長検査を実行することができる。電気接続又はラインとして論じられているが、ライン１２２及び他のラインは、バスとして提供することも、高周波又は他の周波数電磁放射線、光信号若しくは同様のものを介して伝えることもできることが理解されよう。
【０１６８】
本開示の態様によれば、各データブロックは、「ヘッダ」又はブロックを識別する他のタグ付けの形態でタグ付けすることができ、ヘッダは、再循環ループ１００を通じる信号経路の一部としてデータブロックで符号化することができる。この実施形態では、アドレステーブル１０６は、好ましくは、データブロックのヘッダに記載される識別番号などのタグと、ユーザと関連付けられた電子通信のユーザとの間の関連性を維持する。このように、正しいヘッダを有するデータブロックは、再循環ループ１００から読み出し、さらなる処理のために出力に提供することができる。或いは、データブロックは、例えば、提供されるクロックに合わせて出力を調節するために、出力バッファ４７に一時的に格納することができる。アドレステーブル１０６を含むそのようなデータ管理は、システムの外部で提供することができ、制御論理１０４は、ヘッダ情報のみを受信することができ、その結果、制御論理１０４は、要求されたヘッダに相当するデータブロックを返送することができる。明確にするため、「ヘッダ」は、他のいかなる形態のタグ付けも意味し得る。
【０１６９】
スイッチ１２５は、電気接続１２６を介して受信された制御信号に基づいて、データ１２４を、例えば、ユーザから受信されたデータに対する要求に応えて、出力ピン１４５、１４６を介してデータ格納システム９９の外部に出力するか、又は、制御信号１２６に基づいて３Ｒ再生のために接続１２８を介して３Ｒバッファ１２６に供給するかを制御することができる。データを直接出力する代わりに、データは、要求されるまで出力バッファ４７に格納することができる。
【０１７０】
３Ｒバッファ１２６は、３Ｒ再生（すなわち、「振幅増幅、タイミング再生及び波形整形」）のプロセスのタイミングを正確に合わせるために、遅延生成器１０７からの遅延パルス１２７を待つ間、データを保持することができる。この実施形態では、３Ｒ再生は、信号を受信し、信号を消去し、新しい信号として信号を再伝送することによって、遂行することができる。しかしながら、全光再生などの代替の３Ｒ方法も企図される。タイムスロットを共有するデータブロックの全てのデータファミリ（タイムスロットを共有する信号チャネル）の場合、全ファミリは、３Ｒバッファ１２６に供給することができる。次いで、そのタイムスロットに対する信号は、消去遅延パルスライン１２８を使用して消去することができる。電気接続１２７を介して送信された遅延パルスは、適切な時刻に再伝送をトリガすることができる。また、３Ｒバッファ１２６は、そのようなイレイサの実装形態が使用される場合に書き込むためにスロットをクリアするためにタイムスロットを消去した結果として再生しなければならないデータを保持することによって、書込プロセスの間に同様の目的を果たすことができる。この事例では、１２８を介して消去遅延パルスを伝送する必要はないが、代わりに、３Ｒバッファ１２６の読出が入力ビットの伝送完了の後に続く。別の変形形態は、３Ｒバッファ１２６においてアドレス指定スキームを使用することを含み、その結果、３Ｒバッファ１２６内のデータは、選択されたいかなる順序でも出力することができ、一度に複数のデータブロックを書き直す高速の非同期的な実装形態が可能になる。
【０１７１】
論じられるように、遅延パルスは、３Ｒバッファ１２６におけるデータの伝送をトリガするため、遅延生成器１０７から電気接続１２７を介して伝送することができ、入力バッファ１１０から書込をトリガするためにライン１０８を介して伝送される遅延パルスと同じ方法で生成される。これらの遅延パルスに先立って、書込動作を終える場合を除いて（この場合、タイムスロットは既にクリアされており、所望の入力ビットの伝送の完了の直後にデータを再伝送するためにパルスが生成される）、適切なタイムスロットを消去するために、消去遅延パルスライン１０８ｂにおいて遅延パルスが伝送され得る。
【０１７２】
また、論じられるように、遅延パルスは、データを安全に且つ永久的に消去するために３Ｒ再生の一部として又は消去動作としてイレイサ１０３を使用して所望のタイムスロットの消去をトリガするために、電気接続１０８ｂを介して遅延生成器１０７から伝送することもできる。データは、もはや使用されなくなってから消去することも、分散誘起広がりにより、最終的に他の信号と干渉するようになることもあり得るが、これは、次にそのタイムスロットが再生されている時に３Ｒ再生を単に実行しないことによって最も容易に遂行することができる。
【０１７３】
除去データライン１２９は、インバータを通じて、１Ｒ再生プロセスの電力を制御することができる。このラインが「１」に設定された場合は、１Ｒ再生は停止し、その結果、ループにおける信号の増幅は止まり、その中で伝達されるデータは、急速に、安全に且つ不可逆的に破壊される。
【０１７４】
図２２は、例えば図２１のループ１００のような、データ格納のための連続再循環ループの例であり、導波路として光ファイバのスプール１３が使用される。非変調光信号は、ファイバレーザであり得る光源１によって信号変調器１１３に提供することができる。或いは、光源１は、直接変調することができ、信号変調器１１３に代わって用いることができる。例えば、光源が半導体空洞レーザである場合は、信号は、ポンプ電流を変調することによって変調することができる。
【０１７５】
１Ｒ再生ステーション１０２は、ファイバレーザ増幅器であっても、光ファイバ１２の長さに沿った分散利得システムによって置き換えてもよい。例えば、分散ラマン増幅又は光パラメトリック増幅を使用することができる。光ファイバスプール１３は、ナノ構造光ファイバ導波路であり得る。「ナノ構造化光ファイバ」は、ファイバが単一モード化されないように比較的大きな外半径を使用する一方でモードが比較的小さなエリアに限定されるように設計された半径方向指数プロファイルを有し得る。ナノ構造化光ファイバとして企図されるものは、例えば、第１の領域、第２の領域及び第３の領域を有する「リングファイバ」を含む技術ファミリであり、第１の領域は、円筒であり、第２の領域は、半径が第１の領域の半径より大きく、第１の領域を取り囲む円筒であり、第３の領域は、半径が第２の領域の半径より大きく、第１及び第２の領域の両方を取り囲む円筒であり、その結果、第２の領域は、第１及び第２の領域の両方より大きい光屈折率を有する。第１の領域は、空気又はファイバであり得る。「ボルテックスファイバ」は、第１の領域、第２の領域、第３の領域及び第４の領域を有し、第１の領域は、円筒であり、第２の領域は、半径が第１の領域の半径より大きく、第１の領域を取り囲む円筒であり、第３の領域は、半径が第２の領域の半径より大きく、第１及び第２の領域の両方を取り囲む円筒であり、第４の領域は、半径が第１の領域の半径及び第２の領域の半径より大きく、第１、第２及び第３の領域を取り囲む円筒であり、第１の領域及び第３の領域は両方とも、第２及び第４の領域より大きい光屈折率を有する。「マルチコアファイバ」（スーパモードファイバ又はフォトニックランタンファイバとも呼ばれる）は、少なくとも２つの互いに交わらないコア領域と、クラッド領域とを有し、コア領域は全て円筒であり、クラッド領域は、いずれのコア領域の半径よりも大きい半径を有する円筒であり、クラッド領域は、全てのコア領域を取り囲み、各コア領域は、クラッド領域より大きい光屈折率を有する。「光ワイヤ」は、第１の領域を有し、第１の領域は、空気より大きい屈折率を有する円筒である（空気がクラッドの役割を果たす）。「フォトニック結晶ファイバ」は、大多数のオープン円筒又は他のオープン形状（多角形若しくは星形など）で作られており、空気又は低屈折率のガラスで満たされた可変半径のものである場合が多い（中心領域は高屈折率のガラスで満たされている場合が多い）。光ファイバ１２又は光ファイバスプール１３は、例えば、Ｃｏｒｎｉｎｇ  ＳＭＦ  ２８又はその何らかの均等物であり得るが、例えば、変調器の消光比を増加するためにＰＭファイバを使用することもできる。制御システム８は、図２１に示されるシステムと同様のものであり得る。イレイサ１０３及び／又は信号変調器１１３は、図２３に示されるようなマッハ-ツェンダ（ＭＺ）強度変調器１４及び偏波コントローラ５を含み得、増幅器の有無にかかわらず、電気接続１０を介して制御システム８によって制御される。制御システム８は、制御論理１０４、アドレステーブル１０６、遅延生成器１０７及び他のそのようなコンポーネントを含み得る。
【０１７６】
図２３は、例えば、信号変調器１１３及び／又はイレイサ１０３のような、信号変調の例を示す。最初に、着信光信号の偏波（すなわち、導波路又はファイバモード）は、偏波コントローラ５によって制御することができる。好ましい実施形態では、このことは、インラインファイバ偏波コントローラによって遂行することができる。この要素は、ファイバ又は導波路９がＰＭファイバである場合は不要であり得る。同様に、システムが空間分割多重化（ＳＤＭ）用に修正された場合又は偏波に依存しない変調器１４が使用される場合は、偏波コントローラ５は不要であり得る。
【０１７７】
光強度変調器１４は、マッハ-ツェンダ（ＭＺ）強度変調器であり得、電気接続２２を介してＲＦドライバ２４から電子制御電圧を受信し、ＲＦドライバ２４は、接続２０を介して制御システム８からの信号によって駆動され、接続２０は、図２２の電気接続１０の要素であり得る。この光強度変調器１４は、異なる電気光学変調器（ＥＯＭ）、音響光学変調器（ＡＯＭ）又は他の変調器（電界吸収変調器（ＥＡＭ）など）に置き換えることができる。例えば、（ＰＳＫ）などの他のキーイングスキームの場合、位相変調器を代わりに使用することができる。
【０１７８】
光増幅器は、信号の電力を制御するために利得を提供することができる。光アイソレータ１５及び１７は、増幅器の不安定性を引き起こし得る後方反射を防ぐために使用することができる。関連ＲＦドライバ２５及び電気接続２１を伴う第２の光変調器１８は、例えば、「１」と「０」のより優れた区別を提供するために、単独の変調器より大きな変調信号における消光比を提供することができる。
【０１７９】
図２５は、システム９９ａに対して波長分割多重化（ＷＤＭ）を使用した移動中のデータ格納のための再循環連続ループの例を示し、同じタイムスロットのチャネルを消去することなく、個々のチャネルを消去することができるスキームを示す。波長分割デマルチプレクサ３１は、光ファイバ１２（又は他の導波路）から渡された信号を逆多重化する。信号は、ｎ個の全く異なるファイバチャネルを表すｎ個の全く異なる波長λｎを含み、チャネルごとに１つずつの波長λｉしか伝達しない。このことは、アレイ導波路回折格子（ＡＷＧ）によって又はｎ個の異なる溶融ファイバカプラ（波長特有のもの及び光ファイバ１２の長さに沿って直列にカスケード接続されたもの）によって実現することができる。再循環ループ１００の一部として位置付けられたものとして図２５に概略的に示されているが、ＷＤＭ回路９８ａは、再循環ループの外部に位置付けることができ、その結果、ＷＤＭ回路９８ａ多重化信号は、１つ又は複数の信号カプラによって再循環ループ１００に注入できることが理解されよう。
【０１８０】
波長分割マルチプレクサ３２は、ｎ個の全く異なるファイバチャネル（１つの波長λｉに対してチャネル１つずつ）を１つのファイバ又は導波路に組み合わせるか又は多重化することができる。従って、多重化信号は、ｎ個の全く異なる波長λｎで情報を格納することができる。これは、例えば、ｎ個の異なる溶融ファイバカプラ１０１−１、１０１−２、．．．１０１−ｎ（波長特有のもの及び光ファイバ１２の長さに沿って直列にカスケード接続されたもの）として又はＡＷＧと同様の統合デバイス若しくは対等の技法として実装することができる。
【０１８１】
図２５は、要素番号−チャネル番号としてインデックスが付けられたｎ個の波長チャネルを説明する要素を示す。従って、第４のチャネルの３３番目の要素は、３３−４と呼ばれることになる。１０２−ｉは、チャネルｉの波長λｉの信号のための１Ｒ再生ステーションである。このいくつかの詳細は、図２６で見ることができる。図２５で提供される例によれば、波長間等化を提供することができ、他のチャネルに提供される電力とは無関係に、各チャネルは既定の電力に正規化される。そのようなチャネル正規化利得は、アクティブ又はパッシブであり得る。信号制御システムは、さらなる電気接続を使用して全てのチャネルのアクティブ等化を提供することができる。
【０１８２】
往復損失変調器１０３−ｉは、図２１に示されるイレイサ１０３の多重化実装形態であり得、以下に続く図２３で実装することができる。往復損失変調器１０３−ｉは、信号のチャネルｉの波長λｉのデータを消去する。
【０１８３】
信号カプラ１０１−ｉは、図２１に示される信号カプラ１０１のコンポーネントであり得、２つの入力ａ、ｂから出力ｃ、ｄを使用して、波長λｉのデータ部分を伝達する信号をチャネルｉに注入したり、チャネルｉから排出したりすることができる。このことは、結合波長λｉによる誘導波のエバネセント結合を利用する溶融ファイバカプラを使用して遂行することができる。光源１−ｉは、波長λｉの変調又は非変調光信号を提供することができる。
【０１８４】
各チャネルの信号変調は、波長λｉの変調器によって実行することができ、詳細は、図２３に示されている。ＤＡＱ  １２０−ｉは、例えばフォトダイオードを使用して、チャネルｉの信号を電気信号に復調する。或いは、復調の別の手段を使用することができる。
【０１８５】
図２６は、１Ｒ再生ユニット（例えば、図２１若しくは図２２の１０２又は図２５の１０２−ｉ）の例の詳細な概略図解である。光増幅器４６（例えば、ドープファイバ増幅器）は、関連チャネルの信号を増幅する。この増幅器の利得は、往復損失を完全に補償するように選択すべきであり、複数の別個の段階において提供する必要があり得る。光アイソレータは、増幅器の不安定性を引き起こし得る後方反射を防ぐために使用することができる。
【０１８６】
非線形強度フィルタ４８或いは制御及び／又は安定性の対等のアクティブ及び／又はパッシブ手段を使用することができる。非線形強度フィルタ４８は、非常に低い又は非常に高い強度の信号に対して、より高い損失を提供する。これにより、図３０及び図３１に示されるように、ファイバループにおける信号のピーク強度の均一な、制御された、無限の維持のための１Ｒ再生プロセスを安定させるために、信号強度のアクティブ及び／又はパッシブ制御が提供される。或いは、フィルタ４８のアクティブ実装形態の例は、９９％／１％溶融ファイバカプラ、前記カプラの１％チャネルに接続された電力計及び制御システムによって駆動される可変光減衰器（ＥＡＭなど）を含み得る。例えば、所定のデータブロックの現在及び過去の電力を入力として取り入れる離散比例・積分・微分（ＰＩＤ）コントローラを使用して、増幅器４６の利得（例えば、増幅器４６のポンプ電流を変調することによって）又は損失（例えば、電界吸収変調器（ＥＡＭ）を使用して）を制御することができる。
【０１８７】
図２７は、ＳＤＭ（又はモード分割多重化、ＭＤＭ）９９ｂを利用した格納システムの例の概略図解である。マルチモード光ファイバ（ＭＭＦ）のスプール５２は、システムを実用的にするためにかなり低いクロストークでチャネル間の効果的な区別を可能にするように、軌道角運動量（ＯＡＭ）伝達モードなどの異なる空間モードで信号を伝播する。このことは、異なるモード（すなわち、チャネル）間で結合する分散モードと摂動モードの両方を最小化するように設計されたカスタムナノ構造化ファイバによって実現することができる。例えば、マルチモード光ファイバ５３及びマルチモード光ファイバのスプール５２は、ボルテックスファイバ、マルチコアファイバ（スーパモードファイバ及びフォトニックランタンを含む）、光ワイヤ、フォトニック結晶ファイバ並びに／或いは所望のプロパティを有する他の任意の形態のファイバ又は導波路であり得る。ディジタル多重入力多重出力（ＭＩＭＯ）技法は、伝播の間に結合によって混合された空間モードをディジタル方式で逆多重化するために使用することができる。そのような手法は、各往復におけるディジタル信号への変換を必要とし得る。或いは、モード選択性カプラ５４−ｉを波長無依存型に設計すること及び／又は溶融ファイバカプラ以外の別の結合方法を使用することができる。各カプラ５４−ｉの前の偏波コントローラ５−ｉは、カプラ５４−ｉ及びマルチモードファイバ５３の設計に応じて必要であっても必要でなくともよい。例えば、マルチモードファイバが伝播の間のモード間混合を防ぐことによってモードの区別を可能にする場合は、偏波コントローラ５−ｉは不要である。しかしながら、マルチモードファイバがＭＩＭＯ技法によってモードの区別を可能にする場合は、偏波コントローラ５−ｉは必要であり得、実際に偏波コントローラ５−ｉは、それ自体を、ナノ構造化ファイバとＭＩＭＯ技法の両方の代わりに、いくつかのマルチモードファイバのモードを区別するための手段として使用することができる。同様に、カプラ５４−ｉのいくつかの設計は、カプラ入力ａの前のシングルモードファイバ９に偏波コントローラを挿入すること必要とし得る。マルチモード光ファイバ５３又はマルチモード光ファイバのスプール５２が、モード結合を防ぐように設計された偏波維持又はナノ構造化ファイバである場合は、それらは、同じタイプのファイバのものでなければならない。
【０１８８】
溶融ファイバカプラ５４−ｉは、特有の周波数でＭＭＦ  ５３によって誘導されたある特有の空間モードを何らかの妥当な結合比で結合してＣｏｒｎｉｎｇ  ＳＭＦ  ２８（又は他のタイプの導波路）などのシングルモード光ファイバ（ＳＭＦ）９に入れるために、２つの入力（ａ、ｂ）及び２つの出力（ｃ、ｄ）を含み得る。光強度変調器１０３は、対象信号又は信号の一部分を消去するために使用することができる。マッハ-ツェンダ干渉計を使用することができる。このコンポーネントの制御は、制御システム８及び電気接続１０を介して実行することができる。
【０１８９】
振幅増幅器１０２は、図２６に示されるように、他の実施形態で使用される振幅増幅器と実質的に同様であり得る。シングルモードファイバの代わりに、例えば、ファイバスプール５３と整合するマルチモードファイバ１２など、異なるコンポーネントを選ばれなければならない。利得媒質（例えば、エルビウム）でドープされたこの同じカスタムナノ構造化ＭＭＦ  ５３に基づくファイバ増幅器４６が実演されてきており、低い差動モード利得（ＤＭＧ）で同時に全てのモードに利得を提供するために使用することができる。しかしながら、これらに限定されないが、マルチプレクサ及びデマルチプレクサと協調するＳＭＦ  ＥＤＦＡを含む、他の増幅器を使用することができる。非線形フィルタ４８（又は制御等化の対等のアクティブ若しくはパッシブ手段）も同様に実質的に同様であり得るが、増幅器４６のＤＭＧを補償するために、異なるコンポーネントの選択を必要とすること及び／又はアクティブ若しくはパッシブ手段を介する差動モード損失（ＤＭＬ）のさらなる提供を必要とすることがあり得る。
【０１９０】
図２８は、本開示の態様による、伝播方向分割多重化（ＤＤＭ）ベースの格納システム９９ｃの例を示す。移動中の格納システム９９ｃに対して、より高い容量を提供することができ、再循環連続ループの全く異なる開始及び終了の欠如を活用する。
【０１９１】
具体的には、注入予定の信号は、時計回りに伝播予定の第１の部分と、反時計回りに伝播予定の信号の第２の部分とに細分することができる。従って、成分は、複製されて、対応するインデックス（すなわち、時計回りチャネル１及び反時計回りチャネル２）を有する２つの対向伝播チャネルに入る。１つ又は複数の追加の多重化スキームに加えて、ＤＤＭを提供することができる。
【０１９２】
図２８に示されるように、第１のカプラ６１は、第１のカプラ６１の接続ａを介して時計回りに伝播する信号を導波路ループ１２に注入し、カプラ６１の接続ｂを介して反時計回りに伝播する信号を導波路ループ１２から取り除く。誘導波のエバネセント結合を使用する溶融ファイバカプラが好ましい。同様に、第２のカプラ６２は、第２のカプラのコネクタａを介して反時計回りに伝播する信号を導波路ループ１２に注入し、時計回りに伝播する信号を導波路ループ１２から取り除く。カプラ６１及び６２は、ＤＤＭ信号を同時に多重化するため及び図２１の単独の信号カプラ１０１として集合的に機能するために協調して稼働する。
【０１９３】
さらに、入力Ｃ、出力Ｂ及び双方向接続Ａを有するカプラ６３は、入力及び出力成分を分離するために提供することができる。光アイソレータ６４は、信号チャネルクロストークを防ぐために提供することができる。
【０１９４】
一実施形態を構築するため、図２５、２７及び２８に示されるＷＤＭ、ＳＤＭ及びＤＤＭの技法は、全ての３つのスキーム及び他の可能なスキームを同時に使用して、組み合わせて１つのシステムにすることができる。これを実現するには、本開示の態様に従って、図２５に示される各波長チャネルの信号カプラ１０１−ｉを、例えば図２７に示されるような溶融ファイバカプラのアレイと交換することができ、各モードに対して各コンポーネント１−ｉ〜１１−ｉをそのようなコンポーネントのアレイと交換することを含む。それに加えて、追加の多重化スキーマは、各信号の複数ビットを提供することによって、追加の格納を可能にするために、他の変調方法と共に、方向分割多重化（ＤＤＭ）技法を使用して追加することができる。例えば、直交変調（ＱＡＭ）又は直角位相シフトキーイング（ＱＰＳＫ）。自由空間における空間モードは導波路モード（光ファイバモードなど）が有するような固有の偏波が欠如しているため、自由空間の実施形態では、偏波多重化とＳＤＭの組合せは、ＳＤＭファイバモード多重化と対等の容量を達成するために必要であり得る。
【０１９５】
図３０は、ループ内の信号の往復利得を制御し、そうしなければループに蓄積し得る雑音を低減するために、パッシブ方法で安定性を提供する非線形フィルタの例を示す。雑音低減は、可飽和吸収体１４０によって遂行することができる。高い光カー効果を有する材料（例えば、ＳｂＳＩ、Ｚｎ、Ｓｅ又はＧａＡｓ）で作られた低フィネスエタロン１４１は、利得安定を提供するために使用することができる。エタロンは、低強度で１００％の透過性を有するように（すなわち、波長又は波長集合が材料の共振波長であるように）チューンすることができる。しかしながら、パルスの強度が上昇するにつれて、材料の屈折率が変化するため、エタロンの透過率が変化する。次いで、反射電力は、光アイソレータ１４によって吸収することができる。
【０１９６】
図３１Ａ〜Ｆは、図３０で例として示される非線形フィルタがどのように往復利得制御の安定性を提供するか及びどのように往復利得制御の安定性をチューンすることができるかの例を示す。図３１Ａでは、典型的なレーザ増幅器の信号利得が示されている。図３１Ｂは、線形損失を提供する１つ又は複数の信号カプラ、端面及び変調器を含むシステムの様々な受動素子を示す。図３１Ｃは、信号増幅器が利得を提供する方法と同じ方法で可飽和吸収体が損失を提供することを示す。しかしながら、以下で論じられるような実用的な理由で、信号増幅器の利得より高い損失を有し、且つ、はるかに低い飽和点を有する可飽和吸収体を選ぶことができる。
図３１Ｄは、以下の公式に従って反射率を提供する非線形エタロンを示す。
【数１３】
2019513331.tif 000016
ただし、Ｆは、エタロンフィネスであり、ｋは、光の波数であり、ｌは、エタロン空洞の長さであり、Ｉは、信号の強度である。
【０１９７】
図３１Ｅは、フィルタなしでは、全ての雑音が増幅され、増幅器飽和領域でしか安定性を達成できないことを示す。γａ−ｌｂ＝０をチューンすることによって低レベルで利得を制御する試みは、本質的に不安定なものであり得るが、その理由は、わずかに正の場合であっても増幅器飽和領域に至り、わずかに負の場合であっても信号パルスはゼロに行き着く可能性があるためである。
【０１９８】
図３１Ｆは、非線形フィルタが追加された状態での安定性制御及び雑音低減を示す。フィルタが追加されると、第１に、可飽和吸収体の飽和Ｉｃより少ない低レベル雑音が往復損失を生じる。第２に、増幅器飽和領域の前の強度のポイントにおいて安定ポイントに達することができ、これは、このフィルタを調整することによって調整することができる。それに従って、フィルタは、以下の方法でチューンすることができる。
【０１９９】
雑音遮断は、可飽和吸収体損失（γａ−ｌｂを超えるべきである）を上げることによって、雑音をより効率的に取り除くようにチューンすることができる。しかしながら、雑音遮断は、システム性能を制限し得る組織的な往復損失を低減するためにチューンダウンすることも、雑音の消滅よりも速く生成が行われている場合はチューンアップすることもできる。
【０２００】
安定性ポイントは、エタロンフィネス又はエタロンのカー定数を調整することによってチューンすることができる。
【０２０１】
複数の等しく離間された波長が使用されている場合は、エタロンの長さは、各波長がエタロンの共振波長であるようにチューンすることができる。
【０２０２】
このように、安定した波長無依存増幅（特有の離散波長での）をチューン可能な方式でレーザ増幅器の飽和領域をはるかに下回って達成することも、それと同時に、信号雑音を低減することもできる。
【０２０３】
同様のフィルタリングは、位相依存フィルタ又は位相依存増幅を使用して、位相シフトキーイング又は同様の位相依存キーイングスキーム（ＱＡＭなど）に対して行うことができる。一実施形態によれば、位相整合ポンプ及びアイドラを用いた光パラメトリック増幅（ＯＰＡ）は、π／２ラジアンを超えて位相整合条件からシフトされた信号に損失を提供する一方で、信号及びアイドラによって設定された位相整合条件を満たす信号に選択的に増幅を提供するために使用することができる。この構成では、１つのポンプが複数の信号に対して機能することができるが、各信号が正確に位相整合されたアイドラを有することを保証するために、モード間の有効屈折率の差の影響を考慮することができる。また、波長が異なる信号の場合、各信号に対する正しい波長及び位相のアイドラを提供しなければならず、それは、通常の関係ωｓ＋ωｉ＝２ωｐと一致し得る。同様に、複数のポンプを用いたスキームは、異なる波長及び／又は位相整合条件を提供するために使用することができる。或いは、ωｐ１＋ωｐ２＝２ωｓの関係を有する波長が異なる２つのポンプを使用することができる。そのような事例では、事実上各信号はそれ自体のアイドラとして機能するため、アイドラは不要であり得る。ポンプ及びアイドラ位相整合関係を一定に維持するため、ポンプ及びアイドラは、周期的にリフレーズ及び／又は交換する必要があり得る。このことは、例えば、アイドラ及びポンプを阻止するが信号は阻止しない波長フィルタを使用して各往復においてポンプ及びアイドラをループから取り除くことによって遂行することができ、その結果、例えば定在波（ＣＷ）レーザ源によって、ポンプ及びアイドラを一定の状態で提供することができる。従って、そのようなアイドラは、要望どおり、位相選択増幅を提供する代わりに、いかなる位相の信号にも増幅を提供することになる。同様に、アイドラは、空乏を避けるほど十分な電力を有することができる（信号の増幅から経験する利得を考慮した後）。他の位相依存又は位相選択要素は、注入同期ファイバ増幅器など、同じ又は同様の機能性を提供することができる。
【０２０４】
別の実施形態では、再循環ループは、データを格納する光空洞を含み得る。図３２Ａは、各々がその間で光のビーム１５６へのデータの格納を維持するために反射器の役割を果たす２対以上の受信機及び送信機（「反射器Ａ」及び「反射器Ｂ」）によってこの空洞を形成することができる例を示す。上記で説明されるシステムに同様のコンポーネントを使用することで、光源１Ａ及び１Ｂによって光信号を生成することができ、次いで、光信号は、信号変調器１１３Ａ及び１１３Ｂによって変調して、信号受信機１２０Ｂ又は１２０Ａに伝送することができ、信号受信機１２０Ｂ又は１２０Ａは、信号を復調し、電気データに変換することができる。制御システム８Ａ及び８Ｂは、データの受信及び再伝送を選択的に制御することができ、従って、イレイサ１０３は必要ではない場合がある。同様に、信号は、受信及び再伝送のたびに完全に再生することができ、従って、信号調節器１０２は必要ではない場合がある。データを結合して電気信号として出力すること及び／又はデータ動作（読取、書込若しくは消去など）を実行することは、上記で説明されるものと同様の方法を使用して、反射器の一方又は両方において実行することができる。同様に、誤り訂正は、両方の反射器において、一方の反射器において又は間欠的に適用することができる。多重化は、受信機及び送信機のアレイを使用して又は図２９に示されるような追加の多重化及び逆多重化要素を追加することによって、追加することができる。
【０２０５】
或いは、図３２Ｂに示されるように、信号の方向転換は、鏡によって遂行することができる。この実施形態では、信号ビーム１５６は、両方向に進むことができ、他の実施形態では、複数の方向又は１つの方向に進むことができる。信号ビーム１５６は、ビームを空洞に維持するために、２つの鏡１５２を使用して反射性空洞に格納することができる。鏡１５２は、安定した方法でビームを空洞に維持するように設計することができ、それらの方法の多くはよく知られている。ファイバの実施形態と同様に、信号を消去するためのイレイサ１０３及び信号調節器１０２は、利得媒質１５３及び非線形フィルタ４８を含めて、空洞の内部に提供することができる。非線形フィルタ４８は、上記で説明されるように、アクティブ又はパッシブであり得、利得及び損失の往復安定性並びに／或いは雑音低減を提供することができる。
【０２０６】
例えばビームスプリッタ１６０を使用して、入力信号１５８を結合してシステムに入れることや、出力信号１５９を結合してシステムから出すことができ、ビームスプリッタ１６０は、図２１、２２、２５及び２７のカプラ１０１と同じ機能を実行することができる。或いは、１つ又は複数の鏡１５２は、部分的に透過性であり得、その結果、空洞に格納された信号１５６のうちの適切な比率は、各往復において、結合して、前記部分的に透過性の鏡を通じて出される。信号生成及び信号検出は、レーザ源１及び信号変調器１１３を使用してシステムにデータを書き込むため並びに信号復調装置１２０を使用して出力信号１５９を復調するために、図２２と同様の方法で遂行することができる。後方反射ビームが信号生成器１に入ることを防ぐために、光アイソレータ６４を提供することができる。
【０２０７】
他の多くの空洞設計及びサイズが企図される。例えば、空洞は、放物面鏡が各端部にある多くの平面鏡及び／又はレンズを含み得、それにより、ステアリング安定性をビームに提供することができる。別の例では、空洞は、１つ又は複数の非平坦な反射性表面を使用して形成することができ、１つ又は複数の非平坦な反射性表面は、各往復において信号ビーム１５６を数回反射する。その例は図３２Ｃに示されており、空洞は、１つの楕円状に湾曲した反射性表面１６２であり得る。この実施形態では、入力／出力カプラは、反射性表面１６２の部分的に透過性の部分１６１であり得、図２１のカプラ１０１と同様に、各往復において、入力ビーム１６３が空洞に入り、空洞内で適切な比率の電力を結合し、出力ビーム１６４として出すことを可能にする。入力ビーム１６３及び出力ビーム１６４は、上記で説明される同じ方法を使用して生成及び受信することができる。消去及び信号調節を提供するため、空洞内の信号ビームの経路に要素（例えば、イレイサ１０３及び利得媒質１５３）を挿入することができる。上記で説明されるように、非線形フィルタ４８又は多重化要素を提供することができる。
【０２０８】
本システム、方法及びデバイスは、人間の動作が不要となるように、ハードウェア、ソフトウェア、ファームウェア又は前述の組合せとして実装されるコンポーネントを使用して実装することができ、１つ又は複数のコンピュータシステム又は他の処理システムにおいて実装することができる。地球局２０ａ、ｂのコンポーネントを実装し、衛星のコントローラ、地球局２０ａ、ｂ及び衛星上のトランシーバのコントローラ、電磁信号生成器及び再生器のコントローラ並びに同様のものを実装するコンピュータ又はコンピュータシステムは、本開示による方法を実行するために、各々が、１つ又は複数のユニットの１つ又は複数のプロセッサを含むことも、１つ又は複数のユニットの１つ又は複数のプロセッサとして提供することもできる。これらのコンピュータ又はプロセッサの１つ又は複数或いは全ては、インターネット或いは他の通信ネットワーク及び／又は手段を介してアクセスすることができる。２つ以上のこれらのユニット又はこれらのユニットのコンポーネントは、例えば１つ又は複数のラックマウント方式のデバイスとして、単一のデバイス上又は一連のそのようなデバイス上で起動しているプロセス上で実行することも、同プロセスによって実行することもできる。本明細書で説明される地球局２０ａ、ｂとの通信インタフェースは、有線又は無線インタフェース通信を含み得、ワイヤ、ケーブル、光ファイヤ、電話回線、セルラリンク、衛星接続、高周波リンク（ＷＩ−ＦＩなど）又は他のそのような通信チャネル及びネットワーク（無線若しくは有線通信を含む）を介して、或いは、前述の組合せを介して通信することができる。
【０２０９】
本発明はその特定の実施形態に関連して説明してきたが、当業者であれば、他の多くの変形形態及び変更形態並びに他の使用が明らかになるであろう。また、ある実装形態（例えば、衛星若しくは輸送船の自由空間の実装形態、ラックの自由空間の実装形態又は導波路の実装形態）に対して説明されるコンポーネント又は他の構造若しくはシステム、特徴、ステップは、別の実装形態に対して配備することも、使用することもできる。同じ構造の一部として記述されるコンポーネントは、別個のコンポーネント又は構造としてパッケージ化することができ、別々にパッケージ化されたものとして説明されるコンポーネントは、統合すること又は一緒に提供することができる。また、コンポーネントは、コンポーネントが論理的に関連付けられるか又はコンポーネントが直接通信する構造から遠く離れて提供することができる。
【０２１０】
順次概説されるステップは、必ずしも順次実行しなければならないわけではなく、必ずしも全てのステップを実行しなければならないわけではなく、他の介在ステップを挿入することができる。従って、本発明は、本明細書の具体的な開示によって制限されない。
【図１】
2019513331.tif 000017
【図２Ａ】
2019513331.tif 000018
【図２Ｂ】
2019513331.tif 000019
【図３】
2019513331.tif 000020
【図４】
2019513331.tif 000021
【図５】
2019513331.tif 000022
【図６】
2019513331.tif 000023
【図７】
2019513331.tif 000024
【図８】
2019513331.tif 000025
【図９】
2019513331.tif 000026
【図１０】
2019513331.tif 000027
【図１１】
2019513331.tif 000028
【図１２】
2019513331.tif 000029
【図１３】
2019513331.tif 000030
【図１４】
2019513331.tif 000031
【図１５】
2019513331.tif 000032
【図１６】
2019513331.tif 000033
【図１７】
2019513331.tif 000034
【図１８】
2019513331.tif 000035
【図１９】
2019513331.tif 000036
【図２０】
2019513331.tif 000037
【図２１】
2019513331.tif 000038
【図２２】
2019513331.tif 000039
【図２３】
2019513331.tif 000040
【図２４Ａ】
2019513331.tif 000041
【図２４Ｂ】
2019513331.tif 000042
【図２４Ｃ】
2019513331.tif 000043
【図２５】
2019513331.tif 000044
【図２６】
2019513331.tif 000045
【図２７】
2019513331.tif 000046
【図２８】
2019513331.tif 000047
【図２９】
2019513331.tif 000048
【図３０】
2019513331.tif 000049
【図３１Ａ】
2019513331.tif 000050
【図３１Ｂ】
2019513331.tif 000051
【図３１Ｃ】
2019513331.tif 000052
【図３１Ｄ】
2019513331.tif 000053
【図３１Ｅ】
2019513331.tif 000054
【図３１Ｆ】
2019513331.tif 000055
【図３２Ａ】
2019513331.tif 000056
【図３２Ｂ】
2019513331.tif 000057
【図３２Ｃ】
2019513331.tif 000058
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
データ格納システムであって、
移動中のデータを格納するように構成された再循環ループであって、第１の輸送船と、該第１の輸送船から遠く離れた所に位置付けられる第２の輸送船と、を含む再循環ループを備え、
前記第１の輸送船は、前記第２の輸送船にデータを伝送するように構成された信号生成器及び信号送信機から成る群から選択される少なくとも１つを備え、
前記第２の輸送船は、前記第１の輸送船から伝送されたデータを前記第１の輸送船に返送するように構成され、
前記第１の輸送船は、前記第２の輸送船から伝送されたデータを前記第２の輸送船に返送するように構成される、データ格納システム。
【請求項２】
請求項１に記載のシステムであって、
データ管理システムが、前記データ格納システムのデータを管理するように構成され、
前記第１の輸送船及び前記第２の輸送船の少なくとも１つは、前記データ格納システムの外部から受信されたデータブロックに対するデータ回収要求に応答するものとして、前記データ管理システムによって識別されたデータのデータブロックを回収するように構成され、
前記データブロックは、前記データ全体より小さい、システム。
【請求項３】
前記再循環ループを通じた前記信号の各往復について、前記信号は移動した状態で維持される、請求項１に記載のシステム。
【請求項４】
前記第１の輸送船及び前記第２の輸送船の少なくとも１つは、衛星である、請求項１に記載のシステム。
【請求項５】
前記信号生成器及び前記信号送信機から成る群から選択される前記少なくとも１つは、伝播方向マルチプレクサによって多重化された信号として前記データを伝達する信号を前記第２の輸送船に伝送するように構成され、
前記伝送するステップは、
前記再循環ループを通じて前記信号の第１の部分を第１のビームとして伝送するステップと、
伝播経路が前記第１のビームから物理的に分離された状態で、前記再循環ループを通じて、前記信号の第２の部分を第２のビームとして伝送するステップと
を含む、請求項１に記載のシステム。
【請求項６】
前記第１の輸送船及び前記第２の輸送船の少なくとも１つは、船、航空機、潜水艦及びオイルリグ、ブイ又は他の静止海洋構造物から成る群から選択されるものを含む、請求項１に記載のシステム。
【請求項７】
前記再循環ループは、前記第１の輸送船にデータを伝送するように構成された第３の輸送船を含み、
前記第２の輸送船は、前記第３の輸送船にデータを伝送することによって、前記第３の輸送船を介して前記第１の輸送船にデータを返送するように構成される、請求項１に記載のシステム。
【請求項８】
前記第１の輸送船及び前記第２の輸送船の少なくとも１つは、前記第２の輸送船又は前記第１の輸送船のそれぞれに信号を返送するように位置付けられ且つ構成された反射表面を備える、請求項１に記載のシステム。
【請求項９】
前記信号生成器及び前記信号送信機の少なくとも１つは、前記データを伝達すると共に前記第２の輸送船に伝送されるレーザ信号を生成する、請求項１に記載のシステム。
【請求項１０】
前記信号生成器及び前記信号送信機の少なくとも１つは、前記データを伝達すると共に前記第２の輸送船に伝送される光ビーム信号を生成する、請求項１に記載のシステム。
【請求項１１】
前記信号生成器及び前記信号送信機の少なくとも１つは、前記データを伝達すると共に多重化信号の第１のセットを含む多重化電磁信号を生成するように構成され、
前記多重化電磁信号の第１のセットの各信号は、前記多重化信号の第１のセットとは異なる多重化スキームを使用して生成される多重化電磁信号の第２のセットを含む、請求項１に記載のシステム。
【請求項１２】
請求項１に記載のシステムであって、
第１の時刻に、第１の動作を実行するために、前記データ格納システムの外部から第１の要求を受信するステップであって、該第１の動作は、前記データの第１のデータブロックに対する読取動作、書込動作及び削除動作のうちの１つを含む、ステップと、
前記第１の時刻の後の第２の時刻に、第２の動作を実行するために、前記データ格納システムの外部から第２の要求を受信するステップであって、該第２の動作は、前記データの第２のデータブロックに対する読取動作、書込動作及び削除動作のうちの１つを含む、ステップと
を行うように構成されたコントローラをさらに備え、
前記第２の動を実行した後に、前記第１の動作を実行する、システム。
【請求項１３】
前記信号生成器及び前記信号送信機の少なくとも１つは、前記データを伝達する符号分割多重化信号を生成するように構成され、
前記符号分割多重化信号は、多重化信号の第１のセットを含み、その結果、該第１のセットの第１の多重化信号は、該第１のセットの第２の多重化信号以外のデータを伝達する、請求項１に記載のシステム。
【請求項１４】
前記信号生成器及び前記信号送信機の少なくとも１つは、前記データを伝達する軌道角運動量分割多重化信号を生成するように構成され、
前記軌道角運動量分割多重化信号は、多重化信号の第１のセットを含み、その結果、該第１のセットの第１の多重化信号は、該第１のセットの第２の多重化信号以外のデータを伝達する、請求項１に記載のシステム。
【請求項１５】
前記信号生成器及び前記信号送信機の少なくとも１つは、前記データを伝達する空間分割多重化信号を生成するように構成され、
前記空間分割多重化信号は、多重化信号の第１のセットを含み、その結果、該第１のセットの第１の多重化信号は、該第１のセットの第２の多重化信号以外のデータを伝達する、請求項１に記載のシステム。
【請求項１６】
前記信号生成器及び前記信号送信機の少なくとも１つは、前記データを伝達する偏波分割多重化信号を生成するように構成され、
前記偏波分割多重化信号は、多重化信号の第１のセットを含み、その結果、該第１のセットの第１の多重化信号は、該第１のセットの第２の多重化信号以外のデータを伝達する、請求項１に記載のシステム。
【請求項１７】
前記信号生成器及び前記信号送信機の少なくとも１つは、前記データを伝達する波長分割多重化信号を生成するように構成され、
前記波長分割多重化信号は、多重化信号の第１のセットを含み、その結果、該第１のセットの第１の多重化信号は、該第１のセットの第２の多重化信号以外のデータを伝達する、請求項１に記載のシステム。
【請求項１８】
信号の部分によって伝達されたデータブロックを前記信号の部分の物理的プロパティ及び場所の少なくとも１つと関連付けるように構成されたデータ管理システムと、
前記データブロックの動作を制御する制御信号を生成するように構成されたコントローラであって、前記制御信号は、前記信号の部分の前記物理的プロパティ及び前記場所の少なくとも１つを参照してクロック信号に基づいて生成される、コントローラと
をさらに備える、請求項１に記載のシステム。
【請求項１９】
請求項１に記載のシステムであって、
前記データ格納システムのデータを管理するように構成されたデータ管理システムであって、前記データのデータブロックの削除、書込及び更新の少なくとも１つを行うために、前記データ格納システムの外部から要求を受信するように構成されたデータ管理システムをさらに備え、
前記再循環ループは、前記データ管理システムから受信された情報に基づいて、前記データを伝達する前記信号の第１の部分を消去するように構成されたイレイサを含み、前記第１の部分は、前記データブロックを伝達し、該データブロックは、前記データ全体よりも小さい、システム。
【請求項２０】
第１の輸送船に位置付けられた信号生成器及び信号送信機から成る群から選択される少なくとも１つによって、信号によって伝達されるデータを第２の輸送船に伝送するステップであって、該第２の輸送船は、前記第１の輸送船から遠く離れた所に位置付けられ、移動中のデータを格納するように構成された再循環ループが、前記第１の輸送船及び前記第２の輸送船を含む、ステップと、
前記第２の輸送船によって、前記第１の輸送船から伝送されたデータを前記第１の輸送船に返送するステップと、
前記第１の輸送船によって、前記第２の輸送船から伝送されたデータを前記第２の輸送船に返送するステップと
を含む、データ格納システム方法。
【国際調査報告】
2019513331.tif 000059
2019513331.tif 000060
2019513331.tif 000061